(57)【要約】【課題】本発明は、看介護記録を付ける際における手間をより低減できる被監視者監視システムの中央処理装置および該方法ならびに前記被監視者監視システムを提供する。【解決手段】本発明の前記中央処理装置の一例である管理サーバ装置ＳＶは、被監視者Ｏｂに対応して設けられたセンサ装置ＳＵで検知された、被監視者Ｏｂに関わる所定のイベントを管理して端末装置ＳＰ、ＴＡに通知する装置であって、イベントの通知を受けた端末装置ＳＰ、ＴＡから、看護および介護のうちの少なくとも一方を含む看介護の内容の記録である看介護記録の入力を要求する記録入力要求命令を収容する記録入力要求通信信号を受信した場合に、端末装置ＳＰ、ＴＡへ通知されたイベントを検知したセンサ装置ＳＵに対応する被監視者Ｏｂについて、看介護の種類の選択を受け付けるための種類選択画面を表す種類選択画面データを収容した種類通知通信信号を端末装置ＳＰ、ＴＡへ返信する。【選択図】図１
2018025969.tif 000002
【特許請求の範囲】
【請求項１】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの前記中央処理装置であって、
通信を行う通信部と、
前記イベントの通知を受けた端末装置から、看護および介護のうちの少なくとも一方を含む看介護の内容の記録である看介護記録の入力を要求する記録入力要求命令を収容する記録入力要求通信信号を前記通信部で受信した場合に、前記端末装置へ通知された前記イベントを検知したセンサ装置に対応する被監視者について、前記看介護の種類の選択を受け付けるための種類選択画面を表す種類選択画面データを収容した種類通知通信信号を前記端末装置へ前記通信部で返信する看介護記録処理部とを備えること
を特徴とする中央処理装置。
【請求項２】
前記記録入力要求通信信号は、前記端末装置へ通知された前記イベントに対して所定の対応を実施する意思が前記端末装置を取り扱う監視者にある旨の入力を受け付けたことを表す対応有意思情報を前記記録入力要求命令として収容した対応有意思通知通信信号であること
を特徴とする請求項１に記載の中央処理装置。
【請求項３】
前記種類選択画面は、選択可能な看介護の複数の種類それぞれの種類名を所定の優先順位に従ってソートした一覧で表示する書式選択画面であること
を特徴とする請求項１または請求項２に記載の中央処理装置。
【請求項４】
前記種類通知通信信号を前記端末装置へ返信するか否かを前記所定のイベントの種類ごとに表す返信許否情報を記憶する返信許否情報記憶部をさらに備え、
前記看介護記録処理部は、前記返信許否情報記憶部に記憶された返信許否情報に基づいて前記種類通知通信信号の返信を処理すること
を特徴とする請求項１ないし請求項３のいずれか１項に記載の中央処理装置。
【請求項５】
前記返信許否情報記憶部は、前記返信許否情報を前記被監視者に対応付けて記憶し、
前記看介護記録処理部は、前記返信許否情報記憶部に記憶され、前記端末装置へ通知された前記イベントを検知したセンサ装置に対応する被監視者に対応付けられた返信許否情報に基づいて前記種類通知通信信号の返信を処理すること
を特徴とする請求項４に記載の中央処理装置。
【請求項６】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの中央処理方法であって、
前記イベントの通知を受けた端末装置から、看護および介護のうちの少なくとも一方を含む看介護の内容の記録である看介護記録の入力を要求する記録入力要求命令を収容する記録入力要求通信信号を受信する受信工程と、
前記受信工程で前記記録入力要求通信信号を受信した場合に、前記端末装置へ通知された前記イベントを検知したセンサ装置に対応する被監視者について、前記看介護の種類の選択を受け付けるための種類選択画面を表す種類選択画面データを収容した種類通知通信信号を前記端末装置へ返信する看介護記録処理工程とを備えること
を特徴とする中央処理方法。
【請求項７】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムであって、
前記中央処理装置は、請求項１ないし請求項５のいずれか１項に記載の中央処理装置であること
を特徴とする被監視者監視システム。
【発明の詳細な説明】
【技術分野】
【０００１】
本発明は、監視すべき監視対象である被監視者を複数の機器を用いて監視する被監視者監視システムの中央処理装置および中央処理方法、ならびに、前記被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。２０１３年９月の統計では、高齢者人口は、約３１８６万人であり、その高齢化率は、２５．０％であり、４人に１人が高齢者になっている。そして、２０３５年には、高齢者人口が約３７４１万人となり、３人に１人が高齢者になるという予測もある（日本国総務省統計局）。このような高齢化社会では、病気や怪我や高齢等による看護や介護を必要とする要看護者や要介護者（要看介護者）は、高齢化社会ではない通常の社会で生じる要看介護者よりもその増加が見込まれる。そして、我が国は、例えば２０１３年の合計特殊出生率が１．４３という少子化社会でもある。そのため、高齢な要看介護者を高齢の家族（配偶者、子、兄弟）が介護する老老介護も起きて来ている。
【０００３】
要看介護者は、病院や、老人福祉施設（日本の法令では老人短期入所施設、養護老人ホームおよび特別養護老人ホーム等）等の施設に入所し、その看護や介護を受ける。このような施設では、要看介護者が、例えばベッドからの転落や歩行中の転倒等によって怪我を負ったり、ベッドから抜け出して徘徊したりするなどの事態が生じ得る。このような事態に対し、可及的速やかに対応する必要がある。また、このような事態を放置しておくとさらに重大な事態に発展してしまう可能性もある。このため、前記施設では、看護師や介護士（看介護者）は、定期的に巡視することによってその安否や様子を確認している。そして、これらの結果を、看護師や介護士等は、看護記録や介護記録（看介護記録）として記録する。
【０００４】
しかしながら、要看介護者の増加数に対し看介護者の増加数が追い付かずに、看護業界や介護業界では、慢性的に人手不足になっている。さらに、日勤の時間帯に較べ、準夜勤や夜勤の時間帯では、看介護者の人数が減るため、一人当たりの業務負荷が増大するので、前記業務負荷の軽減が要請される。また、前記老老介護の事態は、前記施設でも例外ではなく、高齢の要看介護者を高齢の看介護者がケアすることもしばしば見られる。一般に高齢になると体力が衰えるため、健康であっても若いケア者に比しケアの負担が重くなり、また、その動きや判断も遅くなる。
【０００５】
このような人手不足や看介護者の負担を軽減するため、看護業務や介護業務を補完する技術が求められている。このため、近年では、要看介護者の、監視すべき監視対象である被監視者を監視（モニタ）する被監視者監視技術が研究、開発されている。
【０００６】
このような技術の一つとして、例えば特許文献１にナースコールシステムが提案されている。この特許文献１に開示されたナースコールシステムでは、被看護人は、被看護人識別ＩＤを記憶した無線タグを備えるリストバンドを装着しており、電子カルテに記録を行う場合、医療・看護従事者は、まず、その携帯する携帯情報端末を前記被看護人の前記リストバンドに近づけることによって前記リストバンドから被看護人識別ＩＤを読み出し、次に、前記携帯情報端末に表示された処置内容の候補のリストから処置内容を選択する。これによって医療・看護従事者識別ＩＤ、処置内容および被看護人識別ＩＤが、前記携帯情報端末から制御機へ送信され、制御機の制御機記憶部に内蔵されている電子カルテに、前記医療・看護従事者識別ＩＤの医療・看護従事者が前記被看護人識別ＩＤを有する被看護人に前記処置内容に記された処置を行なったことが、データ受信時刻とともに記録される（例えば特許文献１の［０１５７］段落ないし［０１６６］段落参照）。
【先行技術文献】
【特許文献】
【０００７】
【特許文献１】特開２０１４−８７５２４号公報
【発明の概要】
【発明が解決しようとする課題】
【０００８】
ところで、例えば要看介護者の状態を知る等のために、看介護記録は、重要な業務の一つである。しかしながら、看介護者は、看介護記録を付けている間、要看介護者に対する看護や介護を実施できないので、看介護記録を付ける際における手間を少しでも低減したいとの要望がある。
【０００９】
前記特許文献１に開示されたナースコールシステムでは、看介護記録に必要な看護や介護の対象者を特定するために、医療・看護従事者が携帯情報端末を被看護人のリストバンドに近づけることによって前記リストバンドから被看護人識別ＩＤを読み出す必要があり、対象者の特定に手間がかかってしまう。
【００１０】
本発明は、上述の事情に鑑みて為された発明であり、その目的は、看介護記録を付ける際における手間をより低減できる被監視者監視システムの中央処理装置および中央処理方法ならびに被監視者監視システムを提供することである。
【課題を解決するための手段】
【００１１】
本発明者は、種々検討した結果、上記目的は、以下の本発明により達成されることを見出した。すなわち、本発明の一態様にかかる中央処理装置は、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの前記中央処理装置であって、通信を行う通信部と、前記イベントの通知を受けた端末装置から、看護および介護のうちの少なくとも一方を含む看介護の内容の記録である看介護記録の入力を要求する記録入力要求命令を収容する記録入力要求通信信号を前記通信部で受信した場合に、前記端末装置へ通知された前記イベントを検知したセンサ装置に対応する被監視者について、前記看介護の種類の選択を受け付けるための種類選択画面を表す種類選択画面データを収容した種類通知通信信号を前記端末装置へ前記通信部で返信する看介護記録処理部とを備えることを特徴とする。好ましくは、上述の中央処理装置において、前記所定のイベント（事象）は、予め設定された所定の行動を含む。好ましくは、上述の中央処理装置において、前記所定のイベントは、体動異常を含む。好ましくは、上述の中央処理装置において、前記所定のイベントは、ナースコールを含む。好ましくは、上述の中央処理装置において、前記看介護の内容を前記看介護記録として入力するための記録書式を、前記看介護の種類に応じて複数、記憶する書式情報記憶部をさらに備え、前記種類選択画面は、選択可能な複数の記録書式それぞれの記録書式名を一覧で表示する書式選択画面である。
【００１２】
このような中央処理装置は、前記イベントの通知を受けた端末装置から、前記記録入力要求通信信号を受信した場合に、前記端末装置へ通知された前記イベントを検知したセンサ装置に対応する被監視者についての種類通知通信信号を前記端末装置へ返信する。このため、端末装置を取り扱う監視者等のユーザは、看介護記録に必要な被監視者（対象者）の入力を別途に必要としない。したがって、上記中央処理装置では、看介護記録を付ける際に、その操作性が簡便化され、その手順も単純化される。よって、上記中央処理装置は、看介護記録を付ける際における手間をより低減できる。
【００１３】
また、他の一態様では、上述の中央処理装置において、前記記録入力要求通信信号は、前記端末装置へ通知された前記イベントに対して所定の対応を実施する意思が前記端末装置を取り扱う監視者にある旨の入力を受け付けたことを表す対応有意思情報を前記記録入力要求命令として収容した対応有意思通知通信信号であることを特徴とする。
【００１４】
このような中央処理装置では、記録入力要求通信信号が対応有意思通知通信信号と兼用されるので、端末装置を取り扱う監視者等のユーザは、前記意思を前記端末装置に入力することで、看介護記録の入力の要求を前記端末装置に別途に入力する必要が無い。したがって、上記中央処理装置では、看介護記録を付ける際に、その操作性がより簡便化され、その手順もより単純化される。よって、上記中央処理装置は、看介護記録を付ける際における手間をさらにより低減できる。
【００１５】
また、他の一態様では、これら上述の中央処理装置において、前記種類選択画面は、選択可能な看介護の複数の種類それぞれの種類名を所定の優先順位に従ってソートした一覧で表示する書式選択画面であることを特徴とする。好ましくは、上述の中央処理装置において、前記看介護の内容を前記看介護記録として入力するための記録書式を、前記看介護の種類に応じて複数、記憶する書式情報記憶部をさらに備え、前記種類選択画面は、選択可能な複数の記録書式それぞれの記録書式名を所定の優先順位に従ってソートした一覧で表示する書式選択画面である。好ましくは、上述の中央処理装置において、前記所定の優先順位は、前記センサ装置で検知されて前記センサ装置から受信したイベントの種類に基づいて設定される。好ましくは、上述の中央処理装置において、前記所定の優先順位は、さらに時間帯に基づいて設定される。前記所定の優先順位は、さらに前記端末装置の所在位置に基づいて設定される。好ましくは、上述の中央処理装置において、さらに前記所定の優先順位は、前記端末装置を取り扱う監視者の属性に基づいて設定される。
【００１６】
このような中央処理装置は、選択可能な看介護の複数の種類それぞれの種類名を所定の優先順位に従ってソートした一覧で表示する書式選択画面を、端末装置に表示できるので、端末装置を取り扱う監視者等のユーザは、看介護記録を付けたい看介護の種類名を前記一覧から見つけ易い。したがって、上記中央処理装置は、看介護記録を付けたい看介護の種類名を前記一覧から見つける手間を低減できる。
【００１７】
また、他の一態様では、これら上述の中央処理装置において、前記種類通知通信信号を前記端末装置へ返信するか否かを前記所定のイベントの種類ごとに表す返信許否情報を記憶する返信許否情報記憶部をさらに備え、前記看介護記録処理部は、前記返信許否情報記憶部に記憶された返信許否情報に基づいて前記種類通知通信信号の返信を処理することを特徴とする。
【００１８】
例えば起床や離床等のイベントの種類によっては、看介護記録が必要とされない場合もある。上記中央処理装置は、返信許否情報に基づいて種類通知通信信号の返信を処理するので、看介護記録が必要とされない場合に好適に対応でき、前記種類通知通信信号の無駄な返信処理が生じない。
【００１９】
また、他の一態様では、上述の中央処理装置において、前記返信許否情報記憶部は、前記返信許否情報を前記被監視者に対応付けて記憶し、前記看介護記録処理部は、前記返信許否情報記憶部に記憶され、前記端末装置へ通知された前記イベントを検知したセンサ装置に対応する被監視者に対応付けられた返信許否情報に基づいて前記種類通知通信信号の返信を処理することを特徴とする。
【００２０】
例えば被監視者によっては無闇にナースコールする者や、自立性が高くあまり介護が必要ではない者である場合、監視者は、端末装置を介してイベントの通知を受けその確認を行うだけで、看介護記録を付けない場合も有り得る。上記中央処理装置は、前記返信許否情報を前記被監視者に対応付けて記憶し、前記端末装置へ通知された前記イベントを検知したセンサ装置に対応する被監視者に対応付けられた返信許否情報に基づいて前記種類通知通信信号の返信を処理するので、このような被監視者に応じて看介護記録が必要とされない場合に好適に対応でき、前記種類通知通信信号の無駄な返信処理が生じない。
【００２１】
本発明の他の一態様にかかる中央処理方法は、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの中央処理方法であって、前記イベントの通知を受けた端末装置から、看護および介護のうちの少なくとも一方を含む看介護の内容の記録である看介護記録の入力を要求する記録入力要求命令を収容する記録入力要求通信信号を受信する受信工程と、前記受信工程で前記記録入力要求通信信号を受信した場合に、前記端末装置へ通知された前記イベントを検知したセンサ装置に対応する被監視者について、前記看介護の種類の選択を受け付けるための種類選択画面を表す種類選択画面データを収容した種類通知通信信号を前記端末装置へ返信する看介護記録処理工程とを備えることを特徴とする。
【００２２】
このような中央処理方法は、前記イベントの通知を受けた端末装置から、前記記録入力要求通信信号を受信した場合に、前記端末装置へ通知された前記イベントを検知したセンサ装置に対応する被監視者についての種類通知通信信号を前記端末装置へ返信する。このため、端末装置を取り扱う監視者等のユーザは、看介護記録に必要な被監視者の入力を別途に必要としない。したがって、上記中央処理方法では、看介護記録を付ける際に、その操作性が簡便化され、その手順も単純化される。よって、上記中央処理方法は、看介護記録を付ける際における手間をより低減できる。
【００２３】
本発明の他の一態様にかかる被監視者監視システムは、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムであって、前記中央処理装置は、これら上述のいずれかの中央処理装置であることを特徴とする。
【００２４】
このような被監視者監視システムは、これら上述のいずれかの中央処理装置を用いるので、看介護記録を付ける際における手間をより低減できる。
【発明の効果】
【００２５】
本発明にかかる被監視者監視システムの中央処理装置および中央処理方法ならびに被監視者監視システムは、看介護記録を付ける際における手間をより低減できる。
【図面の簡単な説明】
【００２６】
【図１】実施形態における被監視者監視システムの構成を示す図である。
【図２】前記被監視者監視システムにおける管理サーバ装置の構成を示す図である。
【図３】前記管理サーバ装置に記憶されるサーバ側監視情報テーブルの構成を示す図である。
【図４】前記管理サーバ装置に記憶される装置間情報テーブルの構成を示す図である。
【図５】前記管理サーバ装置に記憶されるサーバ側センサ情報テーブルの構成を示す図である。
【図６】前記管理サーバ装置に記憶される端末情報テーブルの構成を示す図である。
【図７】前記管理サーバ装置に記憶される返信許否情報テーブルの構成を示す図である。
【図８】前記被監視者監視システムにおける携帯端末装置の構成を示す図である。
【図９】前記携帯端末装置に表示されるログイン画面の一例を示す図である。
【図１０】前記携帯端末装置に表示される待受け画面の一例を示す図である。
【図１１】前記携帯端末装置に表示される監視情報画面の一例を示す図である。
【図１２】前記携帯端末装置に表示されるナースコール受付画面の一例を示す図である。
【図１３】前記被監視者監視システムの固定端末装置に表示される返信許否情報設定画面の一例を示す図である。
【図１４】前記被監視者監視システムにおける第１モードの看介護記録の動作を示すシーケンス図である。
【図１５】前記被監視者監視システムにおける第２モードの看介護記録の動作を示すシーケンス図である。
【図１６】前記管理サーバにおける、対応有意思通知の処理を示すフローチャートである。
【図１７】前記携帯端末装置に表示される対象者選択画面の一例を示す図である。
【図１８】前記携帯端末装置に表示されるサブメニュー画面の一例を示す図である。
【図１９】前記携帯端末装置に表示される書式選択画面の一例を示す図である。
【図２０】前記携帯端末装置に表示される食事ケア用記録書式画面の一例を示す図である。
【図２１】前記携帯端末装置に表示されるモーニングケア用記録書式画面の一例を示す図である。
【図２２】前記携帯端末装置に表示される排泄ケア用記録書式画面の一例を示す図である。
【図２３】前記携帯端末装置に表示されるその他ケア用記録書式画面の一例を示す図である。
【図２４】前記携帯端末装置に表示される事故未然状況用記録書式画面の一例を示す図である。
【図２５】変形形態の被監視者監視システムにおける固定端末装置に表示される返信許否情報設定画面の一例を示す図である。
【発明を実施するための形態】
【００２７】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００２８】
実施形態における被監視者監視システムは、監視すべき（見守るべき）監視対象（見守り対象）である被監視者（見守り対象者）Ｏｂを監視するものであり、被監視者Ｏｂに対応して設けられ、被監視者Ｏｂに関わる、予め設定された所定のイベント（事象）を検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備える。前記中央処理装置は、通信を行う通信部と、前記イベントの通知を受けた端末装置から、看護および介護のうちの少なくとも一方を含む看介護の内容の記録である看介護記録の入力を要求する記録入力要求命令を収容する通信信号（記録入力要求通信信号）を前記通信部で受信した場合に、前記端末装置へ通知された前記イベントを検知したセンサ装置に対応する被監視者Ｏｂについて、前記看介護の種類の選択を受け付けるための種類選択画面を表す種類選択画面データを収容した通信信号（種類通知通信信号）を前記端末装置へ前記通信部で返信する看介護記録処理部とを備える。前記端末装置は、１種類の装置であって良いが、本実施形態態では、前記端末装置は、固定端末装置と携帯端末装置との２種類の装置である。これら固定端末装置と携帯端末装置との主な相違は、固定端末装置が固定的に運用される一方、携帯端末装置が例えば看護師や介護士等の監視者（ユーザ）に携行されて運用される点であり、これら固定端末装置と携帯端末装置とは、略同様である。このような被監視者監視システムについて、以下、より具体的に説明する。
【００２９】
図１は、実施形態における被監視者監視システムの構成を示す図である。図２は、前記被監視者監視システムにおける管理サーバ装置の構成を示す図である。図３は、前記管理サーバ装置に記憶されるサーバ側監視情報テーブルの構成を示す図である。図４は、前記管理サーバ装置に記憶される装置間情報テーブルの構成を示す図である。図４Ａは、装置間情報テーブルのうちの通知先対応関係情報テーブルの構成を示し、図４Ｂは、装置間情報テーブルのうちの通信アドレス対応関係情報テーブルの構成を示す。図５は、前記管理サーバ装置に記憶されるサーバ側センサ情報テーブルの構成を示す図である。図６は、前記管理サーバ装置に記憶される端末情報テーブルの構成を示す図である。図６Ａは、端末情報テーブルのうちの端末ユーザ属性情報テーブルの構成を示し、図６Ｂは、端末情報テーブルのうちの監視者属性情報テーブルの構成を示す。図７は、前記管理サーバ装置に記憶される返信許否情報テーブルの構成を示す図である。図８は、前記被監視者監視システムにおける携帯端末装置の構成を示す図である。
【００３０】
より具体的には、被監視者監視システムＭＳは、例えば、図１に示すように、１または複数のセンサ装置ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）と、構内交換機（ＰＢＸ、Ｐｒｉｖａｔｅ  ｂｒａｎｃｈ  ｅｘｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷは、通信信号を中継する例えばリピーター、ブリッジおよびルーター等の中継機が備えられても良い。図１に示す例では、これら複数のセンサ装置ＳＵ−１〜ＳＵ−４、管理サーバ装置ＳＶ、固定端末装置ＳＰ、複数の携帯端末装置ＴＡ−１、ＴＡ−２および構内交換機ＣＸは、Ｌ２スイッチの集線装置（ハブ、ＨＵＢ）ＬＳおよびアクセスポイントＡＰを含む有線および無線の混在したＬＡＮ（例えばＩＥＥＥ８０２．１１規格に従ったＬＡＮ等）ＮＷによって互いに通信可能に接続されている。より詳しくは、複数のセンサ装置ＳＵ−１〜ＳＵ−４、管理サーバ装置ＳＶ、固定端末装置ＳＰおよび構内交換機ＣＸは、集線装置ＬＳに接続され、複数の携帯端末装置ＴＡ−１、ＴＡ−２は、アクセスポイントＡＰを介して集線装置ＬＳに接続されている。そして、ネットワークＮＷは、ＴＣＰ（Ｔｒａｎｓｍｉｓｓｉｏｎ  ｃｏｎｔｒｏｌ  ｐｒｏｔｏｃｏｌ）およびＩＰ（Ｉｎｔｅｒｎｅｔ  ｐｒｏｔｏｃｏｌ）等のインターネットプロトコル群が用いられることによっていわゆるイントラネットを構成する。
【００３１】
構内交換機（回線切換機）ＣＸは、ネットワークＮＷに接続され、携帯端末装置ＴＡ同士における発信、着信および通話等の内線電話の制御を行って前記携帯端末装置ＴＡ同士の内線電話を実施し、そして、例えば固定電話網や携帯電話網等の公衆電話網ＰＮを介して例えば固定電話機や携帯電話機等の外線電話機ＴＬに接続され、外線電話機ＴＬと携帯端末装置ＴＡとの間における発信、着信および通話等の外線電話の制御を行って外線電話機ＴＬと携帯端末装置ＴＡとの間における外線電話を実施するものである。構内交換機ＣＸは、例えば、デジタル交換機や、ＩＰ−ＰＢＸ（Ｉｎｔｅｒｎｅｔ  Ｐｒｏｔｏｃｏｌ  Ｐｒｉｖａｔｅ  Ｂｒａｎｃｈ  ｅＸｃｈａｎｇｅ）等である。
【００３２】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーション等の複数の部屋を備える介護施設の建物に配設されている。
【００３３】
センサ装置ＳＵは、ネットワークＮＷを介して他の装置ＳＶ、ＳＰ、ＴＡと通信する通信機能等を備え、被監視者Ｏｂに関わる所定のイベント（事象）を検知して管理サーバ装置ＳＶへ通知する装置である。前記所定のイベントは、好適には対処が必要な所定のイベントであり、例えば、本実施形態では、被監視者Ｏｂにおける予め設定された所定の行動、体動異常およびナースコール（ＮＣ）である。より具体的には、センサ装置ＳＵは、例えば、ネットワークＮＷを介して他の装置ＳＶ、ＳＰ、ＴＡと通信するための通信インターフェース回路（例えばＬＡＮカード等）、被監視者Ｏｂを上方（好ましくは直上（例えば天井））から撮像して画像を生成する画像センサ（例えば可視カメラや近赤外カメラ等）、前記画像センサの出力（画像）に基づいて被監視者Ｏｂにおける予め設定された所定の行動を前記所定のイベントの一例として検知して管理サーバ装置ＳＶへ通知する行動検知処理回路、被監視者Ｏｂを前記上方から検知する体動センサ（例えばドップラセンサ）、前記体動センサの出力に基づいて被監視者Ｏｂにおける体動の停止を前記所定のイベントの他の一例として検知して管理サーバ装置ＳＶへ通知する体動検知処理回路、ナースコールを前記所定のイベントの他の一例として受け付けて管理サーバ装置ＳＶへ通知するナースコール処理回路、端末装置ＳＰ、ＴＡ等との間で音声通話を行う通話処理回路、前記画像センサの出力（画像（静止画および動画を含む））を所定の他の装置ＳＶ、ＳＰ、ＴＡへ送信する画像送信処理回路、これらを制御する制御回路、および、例えば記憶素子等の、その周辺回路を備えて構成される。
【００３４】
前記所定の行動は、例えば、被監視者Ｏｂが起きた起床、被監視者Ｏｂが寝具から離れた離床、および、被監視者Ｏｂが倒れた転倒の３つの行動である。なお、前記転倒には、被監視者Ｏｂが寝具から落ちた転落が含まれて良く、あるいは、前記転倒とは別途に、前記所定の行動には、被監視者Ｏｂが寝具から落ちた転落が含まれて良い。前記行動検知処理回路は、例えば、前記画像センサで撮像した画像（対象画像）に基づいて被監視者Ｏｂの頭部を検出し、この検出した被監視者Ｏｂの頭部における大きさの時間変化に基づいて被監視者Ｏｂの起床および転倒を検知し、前記画像センサで撮像した対象画像に基づいて被監視者Ｏｂを検出し、この検出した被監視者Ｏｂと寝具との重なり具合（重なり領域の大きさ）に基づいて被監視者Ｏｂの離床を検知する。より詳しくは、まず、寝具ＢＤの所在領域、寝具ＢＤの所在領域内における横臥姿勢の頭部の大きさと座位姿勢の頭部の大きさとを識別するための第１閾値Ｔｈ１、および、寝具ＢＤの所在領域を除く居室ＲＭ内における横臥姿勢の頭部の大きさであるか否かを識別するための第２閾値Ｔｈ２が記憶される。そして、前記行動検知処理回路は、対象画像から例えば背景差分法やフレーム差分法によって被監視者Ｏｂの人物の領域として動体領域を抽出し、この抽出した動体領域から、例えば円形や楕円形のハフ変換によって、また例えば予め用意された頭部のモデルを用いたパターンマッチングによって、また例えば頭部検出用に学習したニューラルネットワークによって、被監視者Ｏｂの頭部領域を抽出し、この抽出した頭部の位置および大きさから起床および転倒を検知する。例えば、前記行動検知処理回路は、この抽出した頭部の位置が寝具ＢＤの所在領域内であって、前記抽出した頭部の大きさが前記第１閾値Ｔｈ１を用いることによって横臥姿勢の大きさから座位姿勢の大きさへ時間変化した場合には、起床と判定し、前記起床を検知する。例えば、前記行動検知処理回路は、この抽出した頭部の位置が寝具ＢＤの所在領域を除く居室ＲＭ内であって、前記抽出した頭部の大きさが前記第２閾値Ｔｈ２を用いることによって或る大きさから横臥姿勢の大きさへ時間変化した場合には、転倒と判定し、前記転倒を検知する。そして、前記行動検知処理回路は、対象画像から上述のように抽出した動体領域と寝具ＢＤの所在領域とが重なった重なり領域を検出し、この重なり領域の時間変化から離床を検知する。例えば、前記行動検知処理回路は、この検出した重なり領域が存在する状態から、前記重なり領域が存在しなくなった状態へ時間変化した場合には、離床と判定し、前記離床を検知する。
【００３５】
前記体動検知処理回路は、例えば、前記体動センサがドップラセンサである場合、前記ドップラセンサの出力が所定時間（例えば３０秒や６０秒等）継続して体動判定閾値（例えばホワイトノイズレベル等）以下である場合に、体動異常（体動停止）と判定し、前記体動異常を検知する。
【００３６】
前記所定のイベントは、第１イベント通知通信信号によってセンサ装置ＳＵから管理サーバ装置ＳＶへ通知される。この第１イベント通知通信信号には、自機のセンサＩＤおよび前記イベントの内容を表すイベント情報が収容される。前記センサＩＤ（センサ識別子）は、センサ装置ＳＵを特定し識別するための識別子である。前記イベント情報は、本実施形態では、起床、離床、転倒、体動異常およびナースコールのうちの１または複数である。第１イベント通知通信信号には、前記画像センサで撮像した画像が収容されても良い。特に、前記イベント情報が起床、離床および転倒のうちのいずれかである場合には、前記所定の行動の検知に用いられた画像（前記検知が複数の画像によって実施された場合には例えば最後の画像）が収容されることが好ましく、前記イベント情報が体動異常である場合には、その際に画像センサで撮像された画像が収容されることが好ましい。前記画像は、静止画および動画のうちの少なくとも一方であって良く、本実施形態では、後述するように、まず、静止画が通知され、ユーザの要求に応じて動画が配信される。なお、まず、動画が配信されても良く、また、静止画および動画が送信され、画面分割で静止画および動画が端末装置ＳＰ、ＴＡに表示されても良い。
【００３７】
図１には、一例として、４個の第１ないし第４センサ装置ＳＵ−１〜ＳＵ−４が示されており、第１センサ装置ＳＵ−１は、被監視者Ｏｂの一人であるＡさんＯｂ−１の居室ＲＭ−１（不図示）に配設され、第２センサ装置ＳＵ−２は、被監視者Ｏｂの一人であるＢさんＯｂ−２の居室ＲＭ−２（不図示）に配設され、第３センサ装置ＳＵ−３は、被監視者Ｏｂの一人であるＣさんＯｂ−３の居室ＲＭ−３（不図示）に配設され、そして、第４センサ装置ＳＵ−４は、被監視者Ｏｂの一人であるＤさんＯｂ−４の居室ＲＭ−４（不図示）に配設されている。
【００３８】
管理サーバ装置ＳＶは、ネットワークＮＷを介して他の装置ＳＵ、ＴＡ、ＳＰと通信する通信機能を備え、センサ装置ＳＵから前記所定のイベントの通知を受けると、被監視者Ｏｂに対する監視に関する情報（監視情報（本実施形態では例えば前記所定のイベント（センサ装置ＳＵで検知した所定の行動の種類やセンサ装置ＳＵで受け付けたナースコール）、被監視者Ｏｂの画像（静止画および動画）、および、前記通知を受けた時刻等））を管理し、前記所定のイベントを所定の端末装置ＳＰ、ＴＡへ通知（再通知、再報知、送信）し、クライアント（本実施形態では端末装置ＳＰ、ＴＡ等）の要求に応じたデータを前記クライアントに提供し、被監視者監視システムＭＳ全体を管理する装置（中央処理装置の一例）である。そして、本実施形態では、管理サーバ装置ＳＶは、看護および介護のうちの少なくとも一方を含む看介護の内容の記録である看介護記録に関する所定の情報処理を実行する。このような管理サーバ装置ＳＶは、例えば、図２に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００３９】
ＳＶ通信ＩＦ部２１は、ＳＶ制御処理部２２に接続され、ＳＶ制御処理部２２の制御に従って通信を行うための通信回路である。ＳＶ通信ＩＦ部２１は、ＳＶ制御処理部２２から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＵ、ＳＰ、ＴＡへ送信する。ＳＶ通信ＩＦ部２１は、ネットワークＮＷを介して他の装置ＳＵ、ＳＰ、ＴＡから通信信号を受信し、この受信した通信信号からデータを取り出し、この取り出したデータをＳＶ制御処理部２２が処理可能な形式のデータに変換してＳＶ制御処理部２２へ出力する。ＳＶ通信ＩＦ部２１は、例えば、ＩＥＥＥ８０２．１１規格等に従った通信インターフェース回路を備えて構成される。
【００４０】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、管理サーバ装置ＳＶの各部を当該各部の機能に応じてそれぞれ制御するＳＶ制御プログラムや、被監視者Ｏｂに対する監視に関する所定の情報処理を実行するＳＶ監視処理プログラムや、看護および介護のうちの少なくとも一方を含む看介護の内容の記録である看介護記録に関する所定の情報処理を実行するＳＶ看介護記録処理プログラムや、年月日時分を計時する時計プログラム等の制御処理プログラムが含まれる。前記各種の所定のデータには、自機の、管理サーバ装置ＳＶを特定し管理サーバ装置ＳＶを識別するための識別子であるサーバ識別子（サーバＩＤ）や、被監視者Ｏｂの前記監視情報や、前記所定のイベントの通知先等の装置ＳＵ、ＳＰ、ＴＡ間の情報を表す装置間情報や、センサ装置ＳＵに関するセンサ情報や、当該被監視者監視システムＭＳに接続しその利用（使用）を開始できる資格に関する資格情報や、端末装置ＳＰ、ＴＡに関する端末情報や、後述の選択可能種類通知通信信号の返信の許否を表す返信許否情報や、前記記録書式に関する書式情報や、看介護記録の情報である看介護記録情報等の各プログラムを実行する上で必要なデータ等が含まれる。ＳＶ記憶部２３は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＶ記憶部２３は、前記所定のプログラムの実行中に生じるデータ等を記憶するいわゆるＳＶ制御処理部２２のワーキングメモリとなるＲＡＭ（Ｒａｎｄｏｍ  Ａｃｃｅｓｓ  Ｍｅｍｏｒｙ）等を含む。そして、これら監視情報、装置間情報、センサ情報、資格情報、端末情報、返信許否情報、書式情報および看介護記録情報それぞれを記憶するために、ＳＶ記憶部２３は、サーバ側監視情報記憶部（ＳＶ監視情報記憶部）２３１、装置間情報記憶部２３２、サーバ側センサ情報記憶部（ＳＶセンサ情報記憶部）２３３、資格情報記憶部２３４、端末情報記憶部２３５、返信許否情報記憶部２３６、書式情報記憶部２３７および看介護記録情報記憶部２３８を機能的に備える。
【００４１】
ＳＶ監視情報記憶部２３１は、各装置ＳＵ、ＳＰ、ＴＡそれぞれとの間で送受信した被監視者Ｏｂの監視情報を記憶するものである。より具体的には、ＳＶ監視情報記憶部２３１には、本実施形態では、前記監視情報として、第１イベント通知通信信号等の通信信号に収容された各情報に基づいて、センサＩＤ、イベント情報（本実施形態では起床、離床、転倒、体動異常およびナースコール）、受信時刻、対象画像（静止画および動画）および対処の有無が互いに対応付けて記憶される。
【００４２】
この監視情報は、本実施形態では、テーブル形式でＳＶ監視情報記憶部２３１に記憶されている。この監視情報を登録するサーバ側監視情報テーブル（ＳＶ監視情報テーブル）ＭＴ−ＳＶは、例えば、図３に示すように、各装置ＳＵ、ＳＰ、ＴＡから受信した通信信号に収容されたセンサＩＤを登録するセンサＩＤフィールド２３１１と、前記受信した通信信号に収容されたイベント情報を登録するイベントフィールド２３１２と、前記受信した通信信号の受信時刻を登録する受信時刻フィールド２３１３と、前記受信した通信信号に収容された前記静止画を登録する静止画フィールド２３１４と、ライブ動画の取得先として、前記受信した通信信号に収容されたセンサＩＤに対応するセンサ装置ＳＵの通信アドレス（例えばＩＰアドレス等）を登録する動画フィールド２３１５と、前記受信した通信信号に収容されたイベント情報に対する対応の受付の有無を登録する対応フィールド２３１６とを備え、前記受信した通信信号ごと（各イベントごと）にレコードを備える。静止画フィールド２３１４には、例えば、静止画の画像データが登録されて良く、また例えば、静止画の画像データのファイル名が登録されて良い。対応フィールド２３１６には、後述するように、前記受信した通信信号に収容されたイベント情報に対する所定の対応（対処、処置、措置）する意思が端末装置ＳＰ、ＴＡを取り扱う監視者（ユーザ）にあるある旨（“対応する”）を端末装置ＳＰ、ＴＡで受け付けたか否かを表すフラグ（対応フラグ）が登録される。例えば、本実施形態では、対応フィールド２３１６には、前記受信した通信信号に収容されたイベント情報（イベントフィールド２３１２に登録されたイベント情報）に対処する意思がある旨（“対応する”）を端末装置ＳＰ、ＴＡで受け付けたことを意味する対応フラグ「１」、あるいは、前記受信した通信信号に収容されたイベント情報に対処する意思がある旨（“対応する”）を端末装置ＳＰ、ＴＡで受け付けていないことを意味する対応フラグ「０」が登録される。なお、デフォルトでは、対応フィールド２３１６には、未受付を意味する対応フラグ「０」が登録される。なお、第１イベント通知通信信号に、前記所定の行動を検知した検知時刻または前記ナースコールを受け付けたナースコール受付時刻が収容されている場合には、受信時刻に代え、前記検知時刻または前記ナースコール受付時刻が登録されても良い。
【００４３】
装置間情報記憶部２３２は、前記装置間情報として、本実施形態では、センサ装置ＳＵから送信された第１イベント通知通信信号等の通知先（再通知先、再報知先、送信先）を示す、送信元であるセンサＩＤと報知先（再報知先）である端末ＩＤとの対応関係（通知先対応関係）、および、各装置ＳＵ、ＳＰ、ＴＡのＩＤ（センサＩＤ、端末ＩＤ）とその通信アドレスとの対応関係（通信アドレス対応関係）等を記憶するものである。端末ＩＤ（端末識別子）は、端末装置ＳＰ、ＴＡを特定し端末装置ＳＰ、ＴＡを識別するための識別子である。
【００４４】
これら通知先対応関係および通信アドレス対応関係は、それぞれ、本実施形態では、テーブル形式で装置間情報記憶部２３２に記憶されている。この通知先対応関係を登録する通知先対応関係情報テーブルＡＴは、例えば、図４Ａに示すように、送信元のセンサ装置ＳＵのセンサＩＤを登録する送信元フィールド２３２１と、送信元フィールド２３２１に登録されたセンサＩＤに対応するセンサ装置ＳＵから通知された通信信号を送信する送信先の端末装置ＳＰ、ＴＡの端末ＩＤを登録する通知先フィールド２３２２とを備え、センサＩＤ（センサ装置ＳＵ）ごとにレコードを備える。前記通信アドレス対応関係を登録する通信アドレス対応関係情報テーブルＤＴは、例えば、図４Ｂに示すように、端末装置ＳＰ、ＴＡの端末ＩＤを登録する端末ＩＤフィールド２３２３と、端末ＩＤフィールド２３２３に登録された端末ＩＤに対応する端末装置ＳＰ、ＴＡの通信アドレスを登録する通信アドレスフィールド２３２４とを備え、端末ＩＤ（端末装置ＳＰ、ＴＡ）ごとにレコードを備える。
【００４５】
なお、センサＩＤ、サーバＩＤおよび端末ＩＤそれぞれは、例えば所定の記号列から成るシリアル番号等であって良く、また例えば通信アドレスであって良い（この場合通信アドレス対応関係は省略できる）。また、前記通知先対応関係は、１個のセンサ装置ＳＵに対して複数の端末装置ＳＰ、ＴＡが対応付けられて良く、また、前記通知先対応関係は、１個の端末装置ＳＰ、ＴＡに対して複数のセンサ装置ＳＵが対応付けられて良い。
【００４６】
ＳＶセンサ情報記憶部２３３は、前記センサ情報を記憶するものである。本実施形態では、前記センサ情報は、センサ装置ＳＵに関する情報であり、センサ装置ＳＵのセンサＩＤと被監視者Ｏｂの被監視者名とを互いに対応付けた情報である。
【００４７】
このようなセンサ情報は、本実施形態では、テーブル形式でＳＶセンサ情報記憶部２３３に記憶される。より具体的には、センサ情報を登録するサーバ側センサ情報テーブル（ＳＶセンサ情報テーブル）ＳＴ−ＳＶは、例えば、図５に示すように、センサＩＤを登録するセンサＩＤフィールド２３３１と、前記センサＩＤフィールド２３３１に登録されているセンサＩＤを持つセンサ装置ＳＵの配設場所を登録する配設場所フィールド２３３２と、前記センサＩＤフィールド２３３１に登録されているセンサＩＤを持つセンサ装置ＳＵによって監視される被監視者Ｏｂ（すなわち、前記センサＩＤフィールド２３３１に登録されているセンサＩＤを持つセンサ装置ＳＵの配設場所に居る被監視者Ｏｂ）の被監視者名を登録する被監視者名フィールド２３３３と、前記センサＩＤフィールド２３３１に登録されているセンサＩＤを持つセンサ装置ＳＵ、その配設場所およびその被監視者Ｏｂに関する備考を登録する備考フィールド２３３４とを備え、センサＩＤ（すなわち、センサ装置ＳＵ）ごとにレコードを持つ。
【００４８】
資格情報記憶部２３４は、前記資格情報を記憶するものである。前記資格情報は、当該被監視者監視システムＭＳに接続しその利用（使用）を開始できる資格に関する情報であり、例えば、本実施形態では、監視者の監視者名（ユーザ名）とパスワードとを互いに対応付けた情報である。
【００４９】
端末情報記憶部２３５は、前記端末情報を記憶するものである。前記端末情報は、端末装置ＳＰ、ＴＡに関する情報であり、例えば、本実施形態では、端末装置ＳＰ、ＴＡと当該端末装置ＳＰ、ＴＡを取り扱う監視者（ユーザ）の属性との対応関係を表す端末ユーザ属性情報、および、監視者と当該監視者の属性とを表す監視者属性情報を含む。
【００５０】
これら端末ユーザ属性情報および監視者属性情報は、それぞれ、本実施形態では、テーブル形式で端末情報記憶部２３５に記憶されている。この端末ユーザ属性情報を登録する端末ユーザ情報テーブルＴＴは、例えば、図６Ａに示すように、端末ＩＤを登録する端末ＩＤフィールド２３５１と、当該端末ＩＤフィールド２３５１に登録された端末ＩＤを持つ端末装置ＳＰ、ＴＡを取り扱う監視者（ユーザ）の属性を登録する属性フィールド２３５２とを備え、端末ＩＤごとに（端末装置ＳＰ、ＴＡごとに）レコードを持つ。この監視者属性情報を登録する監視者属性情報テーブルＰＴは、例えば、図６Ｂに示すように、監視者の監視者名を登録する監視者名フィールド２３５３と、当該監視者名フィールド２３５３に登録された監視者名を持つ監視者の属性を登録する属性フィールド２３５４とを備え、監視者名ごとに（監視者ごとに）レコードを持つ。前記監視者の属性は、本実施形態では、当該被監視者監視システムＭＳにおける職種や立場であり、より具体的には、介護士、看護師、理学療法士、医師、班長等の被監視者Ｏｂに対する担当責任者、介護士長や看護師長等の介護士や看護師に対する責任者、および、施設の責任者である施設長等である。端末ユーザ情報テーブルＴＴは、端末装置ＳＰ、ＴＡが当該被監視者監視システムＳＭへログインする際に、および、端末装置ＳＰ、ＴＡが当該被監視者監視システムＳＭからログアウトする際に、それぞれ更新され、監視者属性情報テーブルＰＴには、当該被監視者監視システムＳＭの運用（稼働）前に予め監視者名および属性が登録され、また監視者属性情報テーブルＰＴは、監視者に変更があった際に更新される。
【００５１】
返信許否情報記憶部２３４は、前記返信許否情報を記憶するものである。前記返信許否情報は、前記選択可能種類通知通信信号を端末装置ＳＰ、ＴＡへ返信するか否かを表す情報であり、本実施形態では、前記所定のイベントの種類ごとに設定されている。前記選択可能種類通知通信信号は、前記看介護の種類の選択を受け付けるための種類選択画面を表す種類選択画面データを収容した種類通知通信信号の一例である。
【００５２】
このような返信許否情報は、本実施形態では、テーブル形式で返信許否情報記憶部２３６に記憶される。より具体的には、返信許否情報を登録する返信許否情報テーブルＷＴは、例えば、図７に示すように、イベントの種類名（本実施形態では、起床、離床、転倒、体動異常およびナースコール）を登録するイベントフィールド２３６１と、前記イベントフィールド２３６１に登録されたイベントの種類に対する返信の許否を登録する返信許否フィールド２３６２とを備え、イベントの種類ごとにレコードを持つ。例えば、本実施形態では、返信許否フィールド２３６２には、前記選択可能種類通知通信信号に対し端末装置ＳＰ、ＴＡへの返信を許可することを意味する返信許否フラグ「１」、あるいは、前記選択可能種類通知通信信号に対し端末装置ＳＰ、ＴＡへの返信を許可しないことを意味する返信許否フラグ「０」が登録される。なお、デフォルトでは、返信許否フィールド２３６２には、許可を意味する返信許否フラグ「１」が登録される。また、適宜なタイミングで、端末装置ＳＰ、ＴＡから、イベントの種類ごとに返信許否フラグが入力され、この入力された返信許否フラグが端末装置ＳＰ、ＴＡからネットワークＮＷを介して管理サーバ装置ＳＶへ送信され、管理サーバ装置ＳＶに記憶され、設定される。
【００５３】
書式情報記憶部２３７は、前記書式情報を記憶するものである。前記書式情報は、看護および介護のうちの少なくとも一方を含む看介護の内容を看介護記録として入力するための記録書式に関する情報であり、前記記録書式は、予め規定された所定の様式（フォーマット、入力フォーム）として、前記看介護の種類に応じて複数、予め用意されている。
【００５４】
前記看介護の種類は、看護の実務や介護の実務等に応じて種々ある。例えば、前記看介護の種類として、定期性を有するケア、および、場所に依存するケア等が挙げられる。より具体的には、定期性を有するケアとして、日々実施される、モーニングケア（着替え、洗面および義歯装着等）、食事ケア（朝食ケア、昼食ケア、夕食ケア）、間食ケア、投薬ケア、歯磨きケア、水分補給ケア、バイタルチェック、イブニングケア（着替え、歯磨き、義歯外し、ベッド移乗等）、巡回、および、体位交換等、ならびに、曜日ごとや日にちごとに実施される、入浴ケア、リハビリ、レクリエーション、往診、身体清拭および体重測定等が挙げられる。場所に依存するケアとして、排泄ケア等が挙げられる。これら看介護は、例えばリビング、居室ＲＭ、トイレ、浴場およびナースステーション等の場所に依存したり、また例えば、看護師や介護士等、あるいは、当該看介護の担当者等の監視者に依存したりする。記録書式は、このような看介護の内容に応じて予め用意されており、例えば、モーニングケア用の記録書式、食事ケア用の記録書式、間食ケア用の記録書式、投薬ケア用の記録書式、歯磨きケア用の記録書式、水分補給ケア用の記録書式、その他ケア用記録書式、および、事故未然状況用記録書式等がある。その一例が後述の図２０ないし図２５に示されている。図２０には、食事ケア用の記録書式の一例が携帯端末装置ＴＡに表示される画面で示されている。図２１には、モーニングケア用の記録書式の一例が携帯端末装置ＴＡに表示される画面で示されている。図２２には、排泄ケア用の記録書式の一例が携帯端末装置ＴＡに表示される画面で示されている。図２３には、その他ケア用記録書式画面の一例が携帯端末装置ＴＡに表示される画面で示されている。図２４には、事故未然状況用記録書式画面の一例が携帯端末装置ＴＡに表示される画面で示されている。このような記録書式は、例えばＨＴＭＬ（Ｈｙｐｅｒ  Ｔｅｘｔ  Ｍａｒｋｕｐ  Ｌａｎｇｕａｇｅ）やＸＭＬ（Ｅｘｔｅｎｓｉｂｌｅ  Ｍａｒｋｕｐ  Ｌａｎｇｕａｇｅ）等のマークアップ言語で記述された電子ファイルで書式情報記憶部２３７に記憶される。
【００５５】
看介護記録情報記憶部２３８は、前記看介護記録情報を記憶するものである。看介護記録情報記憶部２３８は、本実施形態では、看介護の対象者である被監視者名と、前記看介護記録の内容とが互いに対応付けられて前記看介護記録情報として記憶する。
【００５６】
ＳＶ制御処理部２２は、管理サーバ装置ＳＶの各部を当該各部の機能に応じてそれぞれ制御し、センサ装置ＳＵから前記所定のイベントの通知を受けると、被監視者Ｏｂに対する監視に関する監視情報を管理し、前記所定のイベントを所定の端末装置ＳＰ、ＴＡへ通知し、クライアントの要求に応じたデータを前記クライアントに提供し、被監視者監視システムＭＳ全体を管理するための回路である。そして、本実施形態では、ＳＶ制御処理部２２は、例えば所定の記憶書式の送信や前記所定の記録書式を用いて記入された看介護記録の記憶等の、前記看介護記録に関する所定の情報処理を実行する。ＳＶ制御処理部２２は、例えば、ＣＰＵ（Ｃｅｎｔｒａｌ  Ｐｒｏｃｅｓｓｉｎｇ  Ｕｎｉｔ）およびその周辺回路を備えて構成される。ＳＶ制御処理部２２は、前記制御処理プログラムが実行されることによって、サーバ側制御部（ＳＶ制御部）２２１、サーバ側監視処理部（ＳＶ監視処理部）２２２、サーバ側看介護記録処理部（ＳＶ看介護記録処理部）２２３および時計部２２４を機能的に備える。
【００５７】
ＳＶ制御部２２１は、管理サーバ装置ＳＶの各部を当該各部の機能に応じてそれぞれ制御し、管理サーバ装置ＳＶの全体制御を司るものである。
【００５８】
ＳＶ監視処理部２２２は、被監視者Ｏｂに対する監視に関する所定の情報処理を実行するものである。より具体的には、ＳＶ監視処理部２２２は、センサ装置ＳＵから前記所定のイベントの通知を受信すると被監視者Ｏｂに対する監視に関する監視情報を管理し、前記所定のイベントを所定の端末装置ＳＰ、ＴＡへ通知する。より詳しくは、ＳＶ監視処理部２２２は、センサ装置ＳＵから前記第１イベント通知通信信号を受信すると、この受信した第１イベント通知通信信号に収容された、被監視者Ｏｂに対する監視に関する監視情報をＳＶ監視情報記憶部２３１に記憶（記録）する。そして、ＳＶ監視処理部２２２は、この受信した第１イベント通知通信信号を送信したセンサ装置ＳＵに対応する通知先（再通知先、報知先、転送先、送信先）を装置間情報記憶部２３２に記憶された前記通知先対応関係から選定（検索）し、この選定した端末装置ＳＰ、ＴＡへ第２イベント通知通信信号を送信する。この選定（検索処理）は、前記受信した第１イベント通知通信信号を送信したセンサ装置ＳＵに対応するセンサＩＤに基づいて実施される。前記第２イベント通知通信信号には、前記第１イベント通知通信信号に収容されたイベント情報が前記所定の行動（起床、離床および転倒のうちの１または複数）である場合や前記第１イベント通知通信信号に収容されたイベント情報が前記体動異常である場合には、第１イベント通知通信信号に収容されたセンサＩＤ、イベント情報および画像、ならびに、動画のダウンロード先として、第１イベント通知通信信号に収容されたセンサＩＤを持つセンサ装置ＳＵに対応する通信アドレスが収容される。この通信アドレスは、前記受信した第１イベント通知通信信号を送信したセンサ装置ＳＵに対応するセンサＩＤに基づいて通信アドレス対応関係から選定（検索）される。前記第１イベント通知通信信号に収容されたイベント情報が前記ナースコールである場合には、前記第２イベント通知通信信号には、第１イベント通知通信信号に収容されたセンサＩＤおよびイベント情報（ナースコール）が収容される。
【００５９】
ＳＶ看介護記録処理部２２３は、看護および介護のうちの少なくとも一方を含む看介護の内容の記録である看介護記録に関する所定の情報処理を実行するものである。本実施形態では、ＳＶ看介護記録処理部２２３は、２個の第１および第２モードで、所定の記録書式を用いた看介護記録の情報処理を実行する。
【００６０】
前記第１モードでは、ＳＶ看介護記録処理部２２３は、前記端末装置ＳＰ、ＴＡと当該管理サーバ装置ＳＶとの間で後述のように相互に所定の通信信号を送受信することで、看介護記録の対象者を選択する対象者選択処理、記録書式を選択する書式選択処理、および、記録書式を用いた看介護記録の記録処理の各処理を順次に実行する。
【００６１】
前記第２モードでは、ＳＶ看介護記録処理部２２３は、前記端末装置ＳＰ、ＴＡと当該管理サーバ装置ＳＶとの間で後述のように相互に所定の通信信号を送受信することで、記録書式を選択する書式選択処理、および、記録書式を用いた看介護記録の記録処理の各処理を順次に実行する。すなわち、第２モードでは、第１モードに較べて、対象者選択処理が省略されている。
【００６２】
より具体的には、第２モードにおいて、ＳＶ看介護記録処理部２２３は、第２イベント通知通信信号によってイベントの通知を受けた端末装置ＳＰ、ＴＡから、看介護記録の入力を要求する記録入力要求命令を収容する通信信号（記録入力要求通信信号）をＳＶ通信ＩＦ部２１で受信した場合に、前記端末装置ＳＰ、ＴＡへ通知された前記イベントを検知したセンサ装置ＳＵに対応する被監視者Ｏｂについて、前記看介護の種類の選択を受け付けるための種類選択画面を表す種類選択画面データを収容した通信信号（選択可能種類通知通信信号、種類通知通信信号の一例）を前記端末装置ＳＰ、ＴＡへＳＶ通信ＩＦ部２１で返信する。本実施形態では、第２モードにおいて、前記記録入力要求通信信号は、前記第２イベント通知通信信号によって前記端末装置ＳＰ、ＴＡへ通知された前記イベントに対して所定の対応（対処、処置、措置）を実施する意思が前記端末装置ＳＰ、ＴＡを取り扱う監視者（ユーザ）にある旨の入力を受け付けたことを表す情報（対応有意思情報）を前記記録入力要求命令として収容した通信信号（対応有意思通知通信信号）である。すなわち、本実施形態では、前記対応有意思通知通信信号が前記記録入力要求通信信号として用いられる。
【００６３】
本実施形態では、前記返信の際に、ＳＶ看介護記録処理部２２３は、返信許否情報記憶部２３６に記憶された返信許否情報に基づいて前記選択可能種類通知通信信号の返信を処理する。より具体的には、ＳＶ看介護記録処理部２２３は、前記第２イベント通知通信信号によって前記端末装置ＳＰ、ＴＡへ通知された前記イベントの種類に対応する返信許否フラグを、返信許否情報記憶部２３６に記憶された返信許否情報から選定（検索）し、この選定の結果、返信許否フラグ「１」である場合には選択可能種類通知通信信号を返信し、一方、返信許否フラグ「０」である場合には選択可能種類通知通信信号を返信しない。
【００６４】
そして、本実施形態では、前記種類選択画面は、選択可能な看介護の複数の種類それぞれの種類名を所定の優先順位に従ってソートした一覧で表示する書式選択画面である。より詳しくは、本実施形態では、前記看介護の種類名として、看介護の内容を入力するための記録書式の記録書式名が用いられている。すなわち、前記種類選択画面は、選択可能な複数の記録書式それぞれの記録書式名を所定の優先順位に従ってソートした一覧で表示する書式選択画面である。好ましくは、前記所定の優先順位は、センサ装置ＳＵで検知されて前記センサ装置ＳＵから受信したイベントの種類に基づいて設定される。好ましくは、前記所定の優先順位は、さらに時間帯に基づいて設定される。好ましくは、前記所定の優先順位は、さらに端末装置ＳＰ、ＴＡの所在位置に基づいて設定される。好ましくは、前記所定の優先順位は、さらに端末装置ＳＰ、ＴＡを取り扱う監視者の属性に基づいて設定される。本実施形態では、前記所定の優先順位は、センサ装置ＳＵで検知されて前記センサ装置ＳＵから受信したイベントの種類に基づいて設定され、さらに必要に応じて、時間帯、端末装置ＳＰ、ＴＡの所在位置、および、端末装置ＳＰ、ＴＡを取り扱う監視者の属性のうちの少なくともいずれかに基づいて設定される。
【００６５】
さらに、ＳＶ看介護記録処理部２２３は、端末装置ＳＰ、ＴＡから記録書式を用いた看介護記録を受信すると、その看介護記録を看介護記録情報記憶部２３６に記憶する。
【００６６】
時計部２２４は、年月日時分を計時するものである。
【００６７】
なお、管理サーバ装置ＳＶは、図２に破線で示すように、必要に応じて、さらに、ＳＶ制御処理部２２に接続され例えば各種コマンドや各種データ等を入力するサーバ側入力部（ＳＶ入力部）２４、ＳＶ入力部２４で入力された各種コマンドや各種データおよび被監視者Ｏｂに対する監視に関する監視情報等を出力するサーバ側出力部（ＳＶ出力部）２５、および、外部機器との間でデータの入出力を行うサーバ側インターフェース部（ＳＶＩＦ部）２６等を備えても良い。
【００６８】
このような管理サーバ装置ＳＶは、例えば、通信機能付きのコンピュータによって構成可能である。
【００６９】
固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた監視情報を表示したり等することによって、被監視者監視システムＭＳのユーザインターフェース（ＵＩ）として機能する機器である。このような固定端末装置ＳＰは、例えば、通信機能付きのコンピュータによって構成可能である。なお、前記端末装置の一例としての固定端末装置ＳＰは、携帯端末装置ＴＡと同様に動作するが、本明細書では、前記端末装置の他の一例である携帯端末装置ＴＡについて説明される。
【００７０】
携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータ（看介護記録のデータを含む）を入力したり、管理サーバ装置ＳＶからの通知によってセンサ装置ＳＵで得られた前記監視情報を表示したり、センサ装置ＳＵとの間で音声通話によってナースコールの応答や声かけしたり等するための機器である。このような携帯端末装置ＴＡは、本実施形態では、例えば、図８に示すように、端末側通信インターフェース部（ＴＡ通信ＩＦ部）３１と、端末側制御処理部（ＴＡ制御処理部）３２と、端末側記憶部（ＴＡ記憶部）３３と、端末側音入出力部（ＴＡ音入出力部）３４と、端末側入力部（ＴＡ入力部）３５と、端末側表示部（ＴＡ表示部）３６と、端末側インターフェース部（ＴＡＩＦ部）３７とを備える。
【００７１】
ＴＡ音入出力部３４は、ＴＡ制御処理部３２に接続され、外部の音を取得して携帯端末装置ＴＡに入力するための回路であって、ＴＡ制御処理部３２の制御に従って音を表す電気信号に応じた音を生成して出力するための回路である。ＴＡ音入出力部３４は、例えば、音の電気信号（音データ）を音の機械振動信号（音響信号）に変換するスピーカ等と、可聴領域の音の機械振動信号を電気信号に変換するマイクロフォン等とを備えて構成される。ＴＡ音入出力部３４は、外部の音を表す電気信号をＴＡ制御処理部３２へ出力し、また、ＴＡ制御処理部３２から入力された電気信号を音の機械振動信号に変換して出力する。
【００７２】
ＴＡ入力部３５は、ＴＡ制御処理部３２に接続され、例えば、所定の操作を受け付け、携帯端末装置ＴＡに入力する回路であり、例えば、所定の機能を割り付けられた複数の入力スイッチ等である。前記所定の操作には、例えば、ログインするためのＩＤの入力操作や、音声通話の要求操作およびその終了操作や、ライブでの動画の要求操作およびその終了操作や、前記通知されたイベントに関わる被監視者Ｏｂに対する例えば救命、看護、介護および介助等の対応（対処、処置、措置）を実行する意思が当該携帯端末装置ＴＡを扱う監視者（ユーザ）にある旨（“対応する”）の入力操作や、所定の記録書式を用いた看介護記録の入力操作等の、監視する上で必要な各種操作等が含まれる。ＴＡ表示部３６は、ＴＡ制御処理部３２に接続され、ＴＡ制御処理部３２の制御に従って、ＴＡ入力部３５から入力された所定の操作内容や、被監視者監視システムＭＳによって監視されている被監視者Ｏｂに対する監視に関する前記監視情報（例えば前記所定のイベント（センサ装置ＳＵで検知した所定の行動の種類やセンサ装置ＳＵで受け付けたナースコール）、被監視者Ｏｂの画像（静止画および動画）、および、前記通知を受けた時刻等）や、看介護記録を入力するための記録書式等を表示する回路であり、例えばＬＣＤ（液晶ディスプレイ）および有機ＥＬディスプレイ等の表示装置である。そして、本実施形態では、ＴＡ入力部３５およびＴＡ表示部３６からタッチパネルが構成されている。この場合において、ＴＡ入力部３５は、例えば抵抗膜方式や静電容量方式等の操作位置を検出して入力する位置入力デバイスである。このタッチパネルでは、ＴＡ表示部３６の表示面上に位置入力デバイスが設けられ、ＴＡ表示部３６に入力可能な１または複数の入力内容の候補が表示され、例えば看護師や介護士等のユーザ（監視者）が、入力したい入力内容を表示した表示位置を触れると、位置入力デバイスによってその位置が検出され、検出された位置に表示された表示内容がユーザの操作入力内容として携帯端末装置ＴＡに入力される。
【００７３】
ＴＡＩＦ部３７は、ＴＡ制御処理部３２に接続され、ＴＡ制御処理部３２の制御に従って、外部機器との間でデータの入出力を行う回路であり、例えば、Ｂｌｕｅｔｏｏｔｈ（登録商標）規格を用いたインターフェース回路、ＩｒＤＡ規格等の赤外線通信を行うインターフェース回路、および、ＵＳＢ規格を用いたインターフェース回路等である。
【００７４】
ＴＡ通信ＩＦ部３１は、ＳＶ通信ＩＦ部２１と同様に、ＴＡ制御処理部３２に接続され、ＴＡ制御処理部３２の制御に従って通信を行うための通信回路である。ＴＡ通信ＩＦ部３１は、例えば、ＩＥＥＥ８０２．１１規格等に従った通信インターフェース回路を備えて構成される。
【００７５】
ＴＡ記憶部３３は、ＴＡ制御処理部３２に接続され、ＴＡ制御処理部３２の制御に従って、各種の所定のプログラムおよび各種の所定のデータを記憶する回路である。前記各種の所定のプログラムには、例えば、携帯端末装置ＴＡの各部を当該各部の機能に応じてそれぞれ制御するＴＡ制御プログラムや、被監視者Ｏｂに対する監視に関する所定の情報処理を実行するＴＡ監視処理プログラムや、ＴＡ音入出力部３４等を用いることでセンサ装置ＳＵとの間で音声通話を行う通話処理プログラムや、センサ装置ＳＵから動画の配信を受け、前記配信を受けた動画をストリーミング再生でＴＡ表示部３６に表示するストリーミング処理プログラムや、看介護記録に関する所定の情報処理を実行するＴＡ看介護記録処理プログラム等の制御処理プログラムが含まれる。前記各種の所定のデータでは、自機の端末ＩＤ、被監視者Ｏｂの前記監視情報、センサ装置ＳＵに関するセンサ情報、および、ＴＡ表示部３６に表示される画面情報等の各プログラムを実行する上で必要なデータ等が含まれる。ＴＡ記憶部３３は、例えばＲＯＭやＥＥＰＲＯＭ等を備える。ＴＡ記憶部３３は、前記所定のプログラムの実行中に生じるデータ等を記憶するいわゆるＴＡ制御処理部３２のワーキングメモリとなるＲＡＭ等を含む。
【００７６】
これら監視情報、センサ情報および画面情報それぞれを記憶するために、ＴＡ記憶部３３は、端末側監視情報記憶部（ＴＡ監視情報記憶部）３３１、端末側センサ情報記憶部（ＴＡセンサ情報記憶部）３３２および画面情報記憶部３３３を機能的に備える。
【００７７】
ＴＡ監視情報記憶部３３１は、前記監視情報を記憶するものである。本実施形態では、ＴＡ監視情報記憶部３３１は、前記監視情報として、管理サーバ装置ＳＶから受信した第２イベント通知通信信号に収容されたセンサＩＤ、イベント情報（事象情報、本実施形態では起床、離床、転倒、体動異常およびナースコール）、画像および動画のダウンロード先のセンサ装置ＳＵの通信アドレス、ならびに、当該第２イベント通知通信信号の受信時刻および対処の有無等を互いに対応付けて記憶する。より具体的には、ＴＡ監視情報記憶部３３１は、図３に示すように、ＳＶ監視情報テーブルＭＴ−ＳＶと同様な端末側監視情報テーブル（ＴＡ監視情報テーブル）ＭＴ−ＴＡに前記監視情報を記憶する。
【００７８】
ＴＡセンサ情報記憶部３３２は、前記センサ情報を記憶するものである。ＴＡセンサ情報記憶部３３２は、センサＩＤ、配設場所、被監視者名および備考を互いに対応付けて記憶する。より具体的には、ＴＡセンサ情報記憶部３３２は、図５に示すように、ＳＶセンサ情報テーブルＳＴ−ＳＶと同様な端末側センサ情報テーブル（ＴＡセンサ情報テーブル）ＳＴ−ＴＡに前記センサ情報を記憶する。
【００７９】
画面情報記憶部３３３は、前記画面情報を記憶するものである。画面情報記憶部３３３は、比較的多用する、例えば後述の待受け画面５１等の電子ファイルを予め記憶したり、管理サーバ装置ＳＶから受信した所定の記録書式画面６４等の電子ファイルを記憶したりする。
【００８０】
ＴＡ制御処理部３２は、携帯端末装置ＴＡの各部を当該各部の機能に応じてそれぞれ制御し、被監視者Ｏｂの前記監視情報を受けて表示し、ナースコールの応答や声かけするための回路である。そして、本実施形態では、ＴＡ制御処理部３２は、所定の記録書式を用いた看介護記録の入力処理を実行する。ＴＡ制御処理部３２は、例えば、ＣＰＵおよびその周辺回路を備えて構成される。ＴＡ制御処理部３２は、制御処理プログラムが実行されることによって、端末側制御部（ＴＡ制御部）３２１、端末側監視処理部（ＴＡ監視処理部）３２２、通話処理部３２３、ストリーミング処理部３２４および端末側看介護記録処理部（ＴＡ看介護記録処理部）３２５を機能的に備える。
【００８１】
ＴＡ制御部３２１は、携帯端末装置ＴＡの各部を当該各部の機能に応じてそれぞれ制御し、携帯端末装置ＴＡの全体制御を司るものである。
【００８２】
ＴＡ監視処理部３２２は、被監視者Ｏｂに対する監視に関する所定の情報処理を実行するものである。より具体的には、ＴＡ監視処理部３２２は、センサ装置ＳＵによって送信された第１イベント通知通信信号、に起因して管理サーバ装置ＳＶによって送信された第２イベント通知通信信号を受信した場合に、この受信した第２イベント通知通信信号に収容された各情報（各データ）に基づき、被監視者Ｏｂの監視情報をＴＡ監視情報記憶部３３１に記憶（記録）する。ＴＡ監視処理部３２２は、この受信した第２イベント通知通信信号に収容された各情報に応じた画面をＴＡ表示部３６に表示する。そして、ＴＡ監視処理部３２２は、ＴＡ入力部３５から所定の入力操作を受け付けると、その入力操作に応じた所定の処理を実行する。
【００８３】
通話処理部３２３は、ＴＡ音入出力部３４等を用いることでセンサ装置ＳＵとの間で音声通話を行うものである。より具体的には、例えば、通話処理部３２３は、ＴＡ音入出力部３４等を用い、第２イベント通知通信信号の送信の原因となった第１イベント通知通信信号を管理サーバ装置ＳＶへ送信した送信元のセンサ装置ＳＵとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【００８４】
ストリーミング処理部３２４は、センサ装置ＳＵから動画（例えばライブの動画）の配信を受け、前記配信を受けた動画をストリーミング再生でＴＡ表示部３６に表示するものである。
【００８５】
ＴＡ看介護記録処理部３２５は、看介護記録に関する所定の情報処理を実行するものである。より具体的には、ＴＡ看介護記録処理部３２５は、ＳＶ看介護記録処理部２２３に応じて前記第１および第２モードで、所定の記録書式を用いた看介護記録の入力処理を実行する。
【００８６】
このような携帯端末装置ＴＡは、例えば、いわゆるタブレット型コンピュータやスマートフォンや携帯電話機等の、持ち運び可能な通信端末装置によって構成可能である。
【００８７】
次に、本実施形態の動作について説明する。図９は、前記携帯端末装置に表示されるログイン画面の一例を示す図である。図１０は、前記携帯端末装置に表示される待受け画面の一例を示す図である。図１１は、前記携帯端末装置に表示される監視情報画面の一例を示す図である。図１２は、前記携帯端末装置に表示されるナースコール受付画面の一例を示す図である。図１３は、前記被監視者監視システムの固定端末装置に表示される返信許否情報設定画面の一例を示す図である。図１４は、前記被監視者監視システムにおける第１モードの看介護記録の動作を示すシーケンス図である。図１５は、前記被監視者監視システムにおける第２モードの看介護記録の動作を示すシーケンス図である。図１６は、前記管理サーバにおける、対応有意思通知の処理を示すフローチャートである。図１７は、前記携帯端末装置に表示される対象者選択画面の一例を示す図である。図１８は、前記携帯端末装置に表示されるサブメニュー画面の一例を示す図である。図１９は、前記携帯端末装置に表示される書式選択画面の一例を示す図である。図２０は、前記携帯端末装置に表示される食事ケア用記録書式画面の一例を示す図である。図２１は、前記携帯端末装置に表示されるモーニングケア用記録書式画面の一例を示す図である。図２２は、前記携帯端末装置に表示される排泄ケア用記録書式画面の一例を示す図である。図２３は、前記携帯端末装置に表示されるその他ケア用記録書式画面の一例を示す図である。図２４は、前記携帯端末装置に表示される事故未然状況用記録書式画面の一例を示す図である。
【００８８】
以下では、第１に、図９ないし図１２を用いて、被監視者を監視する監視動作について説明し、第２に、図１３を用いて、返信許否を設定する動作について説明し、第３に、図１４、および、図１７ないし図２４を用いて、第１モードでの看介護記録の処理について説明し、第４に、図１５ないし図２４を用いて、前記第２モードでの看介護記録の処理について説明する。
【００８９】
上記構成の被監視者監視システムＭＳでは、各装置ＳＵ、ＳＶ、ＳＰ、ＴＡは、電源が投入されると、必要な各部の初期化を実行し、その稼働を始める。管理サーバ装置ＳＶでは、その制御処理プログラムの実行によって、ＳＶ制御処理部２２には、ＳＶ制御部２２１、ＳＶ監視処理部２２２、ＳＶ看介護記録処理部２２３および時計部２２４が機能的に構成される。携帯端末装置ＴＡでは、その制御処理プログラムの実行によって、ＴＡ制御処理部３２には、ＴＡ制御部３２１、ＴＡ監視処理部３２２、通話処理部３２３、ストリーミング処理部３２４およびＴＡ看介護記録処理部３２５が機能的に構成される。
【００９０】
（監視動作）
まず、例えば看護師や介護士等の監視者（ユーザ）は、自己の扱う携帯端末装置ＴＡで被監視者監視システムＭＳにログインするために、前記タッチパネルを構成するＴＡ入力部３５から、後述の「ログイン」ボタン６２２−４（図１８参照）の入力操作を行う。携帯端末装置ＴＡは、ＴＡ入力部３５から「ログイン」ボタン６２２−４の入力操作を受け付けると、ＴＡ制御処理部３２のＴＡ監視処理部３２２によってログイン画面をＴＡ表示部３６に表示する。
【００９１】
前記ログイン画面５０は、当該被監視者監視システムＭＳにログインするための画面である。前記ログイン画面５０は、例えば、図９に示すように、ログインしようとしている監視者の監視者名を入力するための監視者名入力領域５０１と、ログインに必要なパスワードを入力するためのパスワード入力領域（ＰＷ入力領域）５０２と、数値を、当該携帯端末装置ＴＡに入力するためのテンキーパッド領域５０３とを備える。監視者名入力領域５０１で所定の入力操作（例えば「タップ」等）が受け付けられると、ＴＡ監視処理部３２２によって、選択可能な監視者名の一覧がプルダウンメニューでＴＡ表示部３６に表示される。この表示された１または複数の監視者名の中から、１つの監視者名を表示する領域で、所定の入力操作（例えば「タップ」等）が受け付けられると、ＴＡ監視処理部３２２によって、この所定の入力操作を受け付けた領域に表示されている監視者名が監視者名入力領域５０１に表示され、携帯端末装置ＴＡに入力される。ＰＷ入力領域５０２で所定の入力操作（例えば「タップ」等）が受け付けられ、テンキーパッド領域５０３の１または複数の数値ボタンの入力操作が受け付けられると、ＴＡ監視処理部３２２によって、この入力操作を受け付けた数値ボタンの数値がＰＷ入力領域に表示され、携帯端末装置ＴＡに入力される。テンキーパッド領域５０３には、入力した数値を削除する削除ボタン５０３１と、当該ログイン画面５０で入力された入力内容を決定（確定）し、これを管理サーバ装置ＳＶへ送信する指示を入力するための決定ボタン５０３２とを備える。監視者は、監視者名入力領域５０１に監視者名を入力し、ＰＷ入力領域５０２にパスワードを入力すると、決定ボタン５０３２を入力操作する。
【００９２】
この決定ボタン５０３２の入力操作を受け付けると、ＴＡ監視処理部３２２は、管理サーバ装置ＳＶ宛に、ログインを要求するための通信信号（ログイン通信信号）を生成し、この生成したログイン通信信号をＴＡ通信ＩＦ部３１で管理サーバ装置ＳＶへ送信する。より具体的には、ＴＡ監視処理部３２２は、ログインを要求する旨を表すログイン要求情報、自機の端末ＩＤ、監視者名入力領域５０１に入力された監視者名、および、ＰＷ入力領域５０２に入力されたパスワードを収容するログイン通信信号を管理サーバ装置ＳＶ宛に生成し、この生成したログイン通信信号をＴＡ通信ＩＦ部３１で管理サーバ装置ＳＶへ送信する。
【００９３】
このログイン通信信号を受信した管理サーバ装置ＳＶは、ＳＶ監視処理部２２２によって、この受信したログイン通信信号に収容された監視者名およびパスワードが、資格情報記憶部２３４に記憶された資格情報に、互いに対応付けられて記憶されているか否かを判定する。この判定の結果、前記監視者名およびパスワードが資格情報記憶部２３４に互いに対応付けられて記憶されていない場合には、ＳＶ監視処理部２２２は、ログインを許可せず、一方、前記監視者名およびパスワードが資格情報記憶部２３４に互いに対応付けられて記憶されている場合には、ＳＶ監視処理部２２２は、ログインを許可する。ログインを許可しない場合では、管理サーバ装置ＳＶは、前記受信したログイン通信信号の送信元の端末装置ＳＰ、ＴＡからの通信信号を無視し、アクセスを拒否する。ログインを許可する場合では、ＳＶ監視処理部２２２は、端末情報記憶部２３５に記憶された監視者属性情報テーブルＰＴから、前記受信したログイン通信信号に収容された監視者名を、監視者名フィールド２３５３に登録するレコードを選定し、この選定したレコードの属性フィールド２３５４に登録されている属性を取り出してＳＶ記憶部２３に記憶する。次に、ＳＶ監視処理部２２２は、端末情報記憶部２３５に記憶されている端末ユーザ属性情報テーブルＴＴから、前記受信したログイン通信信号に収容された端末ＩＤを、端末ＩＤフィールド２３５１に登録するレコードを選定し、この選定したレコードにおける属性フィールド２３５２に、上述で取り出した属性を登録する。これによってログインした端末装置ＳＰ、ＴＡを取り扱う監視者の属性が端末情報記憶部２３５に記憶される。これによって携帯端末装置ＴＡは、当該被監視者監視システムＭＳにログインする。
【００９４】
ログインすると、ＴＡ監視処理部３２２によって、例えば第２イベント通知通信信号等の自機宛の通信信号を待ち受ける待受け画面がＴＡ表示部３６に表示される。この待受け画面５１は、例えば、図１０に示すように、メニューバーを表示するメニューバー領域５１１と、待ち受け中であることを表すメッセージ（例えば「通知はありません」）およびアイコンを表示する待受けメイン領域５１２と、現在時刻を表示する時刻領域５１３と、今日の年月日曜日を表示する年月日曜日領域５１４と、今、当該携帯端末装置ＴＡにログインしている監視者名を表示する監視者名領域５１５とを備える。
【００９５】
一方、センサ装置ＳＵは、各フレームごとに、あるいは、数フレームおきに、次のように動作することで、被監視者Ｏｂにおける所定の動作を検知し、また、被監視者Ｏｂにおける体動異常を検知し、また、ナースコールの受付の有無を判定している。まず、センサ装置ＳＵは、前記画像センサから１フレーム分の画像（画像データ）を対象画像として取得し、この取得した対象画像に基づいて被監視者Ｏｂにおける所定の行動を検知し、前記所定の行動を検知すると、その検知結果を所定の端末装置ＳＰ、ＴＡへ通知するために、前記イベント情報として検知した前記所定の行動を収容した、前記所定の行動の検知にかかる第１イベント通知通信信号を、管理サーバ装置ＳＶへ送信する。このように動作している間に、センサ装置ＳＵは、前記体動センサの出力に基づいて体動異常か否かを判定し、体動異常を検知すると、その検知した体動異常を所定の端末装置ＳＰ、ＴＡへ通知するために、センサ装置ＳＵは、前記イベント情報として前記体動異常を収容した、前記体動異常にかかる第１イベント通知通信信号を、管理サーバ装置ＳＶへ送信する。このように動作している間に、センサ装置ＳＵは、ナースコールを受け付けているか否かを判定し、ナースコールを受け付けると、そのナースコールの受付を所定の端末装置ＳＰ、ＴＡへ通知するために、センサ装置ＳＵは、前記イベント情報として前記受け付けたナースコールを収容した、前記ナースコールの受付にかかる第１イベント通知通信信号を、管理サーバ装置ＳＶへ送信する。
【００９６】
管理サーバ装置ＳＶは、第１イベント通知通信信号をネットワークＮＷを介してセンサ装置ＳＵから受信すると、ＳＶ監視処理部２２２によって、この第１イベント通知通信信号に収容されたセンサＩＤおよびイベント情報等の各情報を、このセンサＩＤを持つセンサ装置ＳＵで監視されている被監視者Ｏｂの監視情報として記憶（記録）する。そして、管理サーバ装置ＳＶは、ＳＶ監視処理部２２２によって、前記通知先対応関係から、前記受信した第１イベント通知通信信号における通知元のセンサ装置ＳＵに対応する通知先の端末装置ＳＰ、ＴＡを特定し、この通知先の端末装置ＳＰ、ＴＡへ第２イベント通知通信信号を送信する。
【００９７】
固定端末装置ＳＰおよび携帯端末装置ＴＡは、前記第２イベント通知通信信号をネットワークＮＷを介して管理サーバ装置ＳＶから受信すると、ＴＡ監視処理部３２２によって、この第２イベント通知通信信号に収容されたセンサＩＤおよびイベント情報等の各情報を、このセンサＩＤを持つセンサ装置ＳＵで監視されている被監視者Ｏｂの監視情報として記憶（記録）し、前記監視情報を表示する。
【００９８】
より具体的には、代表的に、携帯端末装置ＴＡの動作について説明すると、携帯端末装置ＴＡは、ＴＡ監視処理部３２２によって、前記受信した第２イベント通知通信信号に収容された前記イベント情報が前記所定の行動や体動異常である場合には、例えば図１１に示す監視情報画面５２をＴＡ表示部３６に表示し、一方、前記受信した第２イベント通知通信信号に収容された前記イベント情報が前記ナースコールである場合には、例えば図１２に示すナースコール受付画面５３をＴＡ表示部３６に表示する。
【００９９】
この監視情報画面５２は、被監視者Ｏｂの監視に関する前記監視情報を表示するための画面である。前記監視情報画面５２は、例えば、図１１に示すように、メニューバー領域５１１と、前記受信した第２イベント通知通信信号に収容されたセンサＩＤを持つセンサ装置ＳＵの配設場所および前記センサＩＤを持つ前記センサ装置ＳＵによって監視される被監視者Ｏｂの名前を表示する被監視者名領域５２１と、前記受信した第２イベント通知通信信号の受信時刻（または前記所定の行動の検知時刻）からの経過時間、および、前記受信した第２イベント通知通信信号に収容された前記イベント情報（前記所定の行動の検知結果）を表示する検知情報表示領域５２２と、前記受信した第２イベント通知通信信号に収容された画像（すなわち、前記センサＩＤを持つ前記センサ装置ＳＵによって撮像された対象画像）（ここでは静止画）を表示する画像領域５２３と、「対応する」ボタン５２４と、「話す」ボタン５２５と、「ＬＩＶＥを見る」ボタン５２６とを備える。
【０１００】
被監視者名領域５２１にセンサ装置ＳＵの配設場所および被監視者Ｏｂの名前を表示するために、前記受信した第２イベント通知通信信号に収容されたセンサＩＤを検索キーに、センサ装置ＳＵの配設場所および被監視者Ｏｂの名前がＴＡセンサ情報記憶部３３２から検索され、表示される。検知情報表示領域５２２には、前記受信した第２イベント通知通信信号に収容された前記検知結果（本実施形態では、起床、離床、転倒および体動異常の各名称）がそのまま表示されても良いが、本実施形態では、前記検知結果を象徴的に表すアイコンで表示されている。このアイコンで表示するために、ＴＡ記憶部３３には、各行動およびその行動を象徴的に表すアイコンが互いに対応付けられて予め記憶される。図１１に示す例では、検知情報表示領域５２２には、起床を象徴的に表す起床アイコンが表示されている。「対応する」ボタン５２４は、監視情報画面５２では、この監視情報画面５２に表示された検知結果に対し例えば救命、看護、介護および介助等の所定の対応（対処、処置、措置）を実施する意思が当該携帯端末装置ＴＡのユーザにある旨を、当該携帯端末装置ＴＡに入力するためのボタンである。「話す」ボタン５２５は、音声通話を要求するためのボタンであって、前記センサＩＤの前記センサ装置ＳＵと当該携帯端末装置ＴＡとをネットワークＮＷを介して通話可能に接続する指示を入力するためのボタンである。「ＬＩＶＥを見る」ボタン５２６は、ライブでの動画を要求するためのボタンであって、前記センサＩＤの前記センサ装置ＳＵによって撮像される動画を表示させる指示を入力するためのボタンである。
【０１０１】
前記ナースコール受付画面５３は、ナースコールの受付を表示するための画面である。このナースコール受付画面５３は、例えば、図１２に示すように、メニューバー領域５１１と、被監視者名領域５２１と、検知情報表示領域５２２と、ナースコールを受け付けた旨を表すメッセージ（例えば「ナースコールです」）を表示するナースコール受付通知表示領域５３１と、「対応する」ボタン５２４と、「話す」ボタン５２５とを備える。このナースコール受付画面５３では、検知情報表示領域５２２には、前記受信した第２イベント通知通信信号の受信時刻（または前記ナースコールを受け付けた受付時刻）からの経過時間のみが表示される。なお、ナースコール受付画面５３は、「ＬＩＶＥを見る」ボタン５２６をさらに備えても良い。
【０１０２】
そして、このような監視情報画面５２やナースコール受付画面５３の表示中に、携帯端末装置ＴＡは、ＴＡ制御処理部３２によって、入力操作を受け付けるまで繰り返し、ＴＡ入力部３５およびＴＡ表示部３６を備えて成るタッチパネルで入力操作を受け付けたか否かを、判定する。入力操作を受け付けると、携帯端末装置ＴＡは、ＴＡ制御処理部３２によって、入力操作の内容に応じた適宜な処理を実行し、本処理を終了し、そして、次の自機宛の通信信号を待ち受ける。
【０１０３】
例えば、携帯端末装置ＴＡは、ＴＡ制御処理部３２によって、前記タッチパネルを構成するＴＡ入力部３５から「対応する」ボタン５２４の入力操作を受け付けると、まず、現在、ＴＡ表示部３６に表示している被監視者Ｏｂの監視情報に、「対応する」を受け付けた旨を付してＴＡ監視情報記憶部３３１に記憶する。より具体的には、ＴＡ制御処理部３２は、ＴＡ監視情報記憶部３３１に記憶されているＴＡ監視情報テーブルＭＴ−ＴＡにおいて、現在、ＴＡ表示部３６に表示している被監視者Ｏｂの監視情報を登録しているレコード（ここでは前記受信した第２イベント通知通信信号に収容されていた監視情報を登録したレコード）の対応フィールド３３１６に、対応の受付を表す対応フラグ「１」を登録する。そして、ＴＡ制御処理部３２は、自機の端末ＩＤ、ＴＡ表示部３６に表示している被監視者Ｏｂの監視情報に対応するセンサＩＤ、イベント情報および「対応する」を受け付けた旨を表す情報（対応有意思情報）を収容した通信信号（対応有意思通知通信信号）を管理サーバ装置ＳＶへ送信する。本実施形態では、端末装置ＳＰ、ＴＡを取り扱う監視者の属性を後述のように管理サーバ装置ＳＶが判定するために、ＴＡ制御処理部３２は、この対応有意思通知通信信号に自機の端末ＩＤをさらに収容する。この対応有意思通知通信信号を受信した管理サーバ装置ＳＶは、まず、ＳＶ制御処理部２２によって、ＳＶ監視情報記憶部２３１に記憶されているＳＶ監視情報テーブルＭＴ−ＳＶにおいて、前記受信した対応有意思通知通信信号に収容されているセンサＩＤおよびイベント情報それぞれをセンサＩＤフィールド２３１１およびイベントフィールド２３１２それぞれに登録し、かつ、対応フィールド２３１６に対応フラグ「０」を登録しているレコードの対応フィールド２３１６に、対応の受付を表す対応フラグ「１」を登録し、次に、前記受信した対応有意思通知通信信号に収容されたセンサＩＤ、イベント情報および対応有意思情報を収容した通信信号（対応有意思周知通信信号）を同報通信で端末装置ＳＰ、ＴＡへ送信する。これによって、ＴＡ表示部３６に表示している被監視者Ｏｂの監視情報に対応するセンサＩＤに関し、「対応する」を受け付けた旨が各端末装置ＳＰ、ＴＡ間で同期される。そして、管理サーバ装置ＳＶは、次に、ＳＶ制御処理部２２によって、前記第２モードでの看介護記録に関する所定の情報処理を実行する。この第２モードでの看介護記録に関する所定の情報処理については、後述する。
【０１０４】
また例えば、携帯端末装置ＴＡは、ＴＡ制御処理部３２によって、「話す」ボタン５２５の入力操作を受け付けると、通話処理部３２３によって、ＴＡ表示部３６に表示している被監視者Ｏｂを監視するセンサ装置ＳＵへ、音声通話を要求する旨等の情報を収容した通信信号（通話要求通信信号）を送信し、これに応じたセンサ装置ＳＵとネットワークＮＷを介して音声通話可能に接続する。これによって携帯端末装置ＴＡとセンサ装置ＳＵとの間で音声通話が可能となる。なお、携帯端末装置ＴＡは、ＴＡ制御処理部３２によって、音声通話の終了の指示を入力するためのボタンである図略の「終了」ボタンの入力操作を受け付けると、通話処理部３２３によって、ＴＡ表示部３６に表示している被監視者Ｏｂを監視するセンサ装置ＳＵへ、音声通話の終了を要求する旨等の情報を収容した通信信号（通話終了通信信号）を送信する。これによって携帯端末装置ＴＡとセンサ装置ＳＵとの間での音声通話が終了される。
【０１０５】
また例えば、携帯端末装置ＴＡは、ＴＡ制御処理部３２によって、「ＬＩＶＥを見る」ボタン５２６の入力操作を受け付けると、ストリーミング処理部３２４によって、現在、ＴＡ表示部３６に表示している被監視者Ｏｂを監視するセンサ装置ＳＵへ、ライブでの動画の配信を要求する旨等の情報を収容した通信信号（動画配信要求通信信号）を送信し、これに応じたセンサ装置ＳＵとネットワークＮＷを介して動画のダウンロード可能に接続し、前記センサ装置ＳＵからライブでの動画の配信を受け、この配信を受けた動画をストリーミング再生でＴＡ表示部３６に表示する。このライブでの動画を表示する監視情報画面５２では、画像領域５２３に動画が表示され、そして、「ＬＩＶＥを見る」ボタン５２６に代え図略の「ＬＩＶＥ終了」ボタンが表示される。これによって携帯端末装置ＴＡには、ライブでの動画が表示される。前記図略の「ＬＩＶＥ終了」ボタンは、動画の終了を要求するためのボタンであって、前記センサＩＤの前記センサ装置ＳＵによって撮像される動画の配信を終了（停止）させ表示を終了（停止）させる指示を入力するためのボタンである。携帯端末装置ＴＡは、ＴＡ制御処理部３２によって、「ＬＩＶＥ終了」ボタンの入力操作を受け付けると、ストリーミング処理部３２４によって、現在、ＴＡ表示部３６に表示している被監視者Ｏｂを監視するセンサ装置ＳＵへ、動画配信の終了を要求する旨等の情報を収容した通信信号（動画配信終了通信信号）を送信し、静止画をＴＡ表示部３６に表示する。これによって携帯端末装置ＴＡは、ライブでの動画の表示を終了する。
【０１０６】
このような動作によって、被監視者監視システムＭＳは、各センサ装置ＳＵ、管理サーバ装置ＳＶ、固定端末装置ＳＰおよび携帯端末装置ＴＡによって、大略、各被監視者Ｏｂにおける所定の行動を検知し、各被監視者Ｏｂにおける体動異常を検知し、ナースコールを受け付けて、各被監視者Ｏｂを監視している。
【０１０７】
（返信許否の設定動作）
返信許否情報は、上述したように、適宜なタイミングで、端末装置ＳＰ、ＴＡから、イベントの種類ごとに返信許否フラグが入力され、この入力された返信許否フラグが端末装置ＳＰ、ＴＡからネットワークＮＷを介して管理サーバ装置ＳＶへ送信され、管理サーバ装置ＳＶの返信許否情報記憶部２３６に記憶されることによって、設定される。
【０１０８】
より具体的には、返信許否の設定は、例えば被監視者Ｏｂが当該被監視者監視システムＭＳの監視対象となった場合に、イベントの種類ごとに返信許否フラグを端末装置ＳＰ、ＴＡに入力し、この入力されたイベントの種類ごとの返信許否フラグを管理サーバ装置ＳＶへ送信するための返信許否情報設定画面を用いて実施される。
【０１０９】
この返信許否情報設定画面５５は、例えば、図１３に示すように、イベントの種類ごとに返信許否フラグを入力する返信許否入力領域５５１と、「キャンセル」ボタン５５６と、「登録」ボタン５５７とを備える。
【０１１０】
返信許否入力領域５５１は、返信許否フラグを入力するための返信許否チェックボックス（□）５５１１をイベントの種類ごとに備える。例えば、本実施形態では、イベントの種類が起床、離床、転倒、体動異常およびナースコールであるので、図１３に示すように、返信許否入力領域５５１は、起床に対する返信許否フラグを入力するための返信許否チェックボックス（□）５５１１−１と、離床に対する返信許否フラグを入力するための返信許否チェックボックス（□）５５１１−２と、転倒に対する返信許否フラグを入力するための返信許否チェックボックス（□）５５１１−３と、体動異常に対する返信許否フラグを入力するための返信許否チェックボックス（□）５５１１−４と、ナースコールに対する返信許否フラグを入力するための返信許否チェックボックス（□）５５１１−５とを備える。返信許否チェックボックス５５１１内に「レ」が表示されている場合は、前記選択可能種類通知通信信号に対し端末装置ＳＰ、ＴＡへの返信を許可することを意味する前記返信許否フラグ「１」の入力であり、返信許否チェックボックス５５１１内に「レ」が表示されていない場合は、前記選択可能種類通知通信信号に対し端末装置ＳＰ、ＴＡへの返信を許可しないことを意味する前記返信許否フラグ「０」の入力である。デフォルトでは、返信許否チェックボックス５５１１内に「レ」が表示され、返信許否チェックボックス５５１１の入力操作を受け付けると、返信許否チェックボックス５５１１内に表示されていた「レ」が削除され（すなわち、返信許否チェックボックス５５１１内に「レ」が表示されず）、そのチェックが外される。
【０１１１】
「キャンセル」ボタン５５６は、返信許否入力領域５５１に入力された返信許否フラグを削除する指示を入力するためのボタンである。「キャンセル」ボタン５５６の入力操作を受け付けると、返信許否チェックボックス５５１１は、デフォルトの状態となる。
【０１１２】
「登録」ボタン５５７は、返信許否入力領域５５１に入力された返信許否フラグを管理サーバ装置ＳＶへ送信する指示を入力するためのボタンである。「登録」ボタン５５７の入力操作を受け付けると、端末装置ＳＰ、ＴＡは、返信許否入力領域５５１に入力された返信許否フラグをイベントの種類に対応付けて返信許否情報として収容した通信信号（返信許否情報通知通信信号）を管理サーバ装置ＳＶへ送信する。
【０１１３】
この返信許否情報通知通信信号を受信すると、管理サーバ装置ＳＶは、ＳＶ制御処理部２２によって、この受信した返信許否情報通知通信信号に収容された返信許否情報をＳＶ記憶部２３の返信許否情報記憶部２３４に記憶する。これによって返信許否情報が管理サーバ装置ＳＶに設定される。
【０１１４】
（第１モードでの看介護記録の処理）
第１モードでの看介護記録の処理では、図１４において、携帯端末装置ＴＡは、前記タッチパネルを構成するＴＡ入力部３５から、待受け画面５１、監視情報画面５２およびナースコール受付画面５３等におけるメニューバー領域５１１の対象者選択ボタン５１１１の入力操作を受け付けると、ＴＡ看介護記録処理部３２５によって、対象者の選択を要求するための通信信号（対象者選択要求通信信号）を管理サーバ装置ＳＶへ送信する（Ｃ１１）。前記対象者選択要求通信信号には、対象者の選択を要求する命令（指示、コマンド、対象者選択要求命令）および自機の端末ＩＤが収容される。前記対象者選択ボタン５１１１は、対象者選択画面６１を表示する指示を、当該携帯端末装置ＴＡに入力するためのボタンである。
【０１１５】
携帯端末装置ＴＡから対象者選択要求通信信号を受信すると、管理サーバ装置ＳＶは、ＳＶ制御処理部２２によって、看介護記録の対象者として選択可能な被監視者Ｏｂを表示し、看介護記録の対象者（被監視者Ｏｂ）を選択するための画面（対象者選択画面）のデータ（電子ファイル）を収容した通信信号（選択可能対象者通知通信信号）を前記携帯端末装置ＴＡへ返信する（Ｃ１２）。
【０１１６】
前記対象者選択画面６１は、例えば、図１７に示すように、メニューバー領域５１１と、選択可能な１または複数の対象者を一覧で表示する対象者表示領域６１１（６１１−１〜６１１−５）と、「確定」ボタン６１２とを備える。対象者表示領域６１１に、選択可能な対象者を一覧で表示するために、ＳＶ制御処理部２２は、ＳＶセンサ情報記憶部２３３に記憶されたＳＶセンサ情報テーブルＳＴ−ＳＶにおける被監視者名フィールド３３３３および配設場所フィールド３３３２それぞれに登録されている被監視者名および配設場所それぞれを各レコードから取り出す。ＳＶ制御処理部２２は、この取り出した配設場所および被監視者名をセット（組）で、対象者表示領域６１１に、当該対象者選択画面６１を表示する携帯端末装置ＴＡのＴＡ表示部３６を正面視した場合に上から下へ順に所定の基準でソートされて一覧で表示されるように、配置する。ソートの基準は、任意であり、例えば、被監視者名の５０音順（アルファベット順）や、配設場所の部屋番号順等である。図１７に示す例では、配設場所および被監視者名の各セットは、配設場所の部屋番号順でソートされている。そして、この対象者選択画面６１が携帯端末装置ＴＡのＴＡ表示部３６に表示された場合に、対象者表示領域６１１（６１１−１〜６１１−５）は、１人の対象者（被監視者Ｏｂ）を入力するために用いられ、監視者（携帯端末装置ＴＡのユーザ）によって選択された対象者を、当該携帯端末装置ＴＡに入力するためのボタン（対象者選択ボタン）でもある。「確定」ボタン６１２は、対象者表示領域６１１から入力された対象者を管理サーバ装置ＳＶへ通知するための通信信号（選択対象者通知通信信号）を管理サーバ装置ＳＶへ送信する指示を、当該携帯端末装置ＴＡに入力するためのボタンである。
【０１１７】
管理サーバ装置ＳＶから選択可能対象者通知通信信号を受信すると、携帯端末装置ＴＡは、ＴＡ制御処理部３２によって、対象者選択画面６１をＴＡ表示部３６に表示する。なお、ＴＡ表示部３６の表示領域より、対象者表示領域６１１が広く、全ての対象者表示領域６１１がＴＡ表示部３６の表示領域に表示できない場合には、例えば「フリック（ｆｌｉｃｋ  ｉｎｐｕｔ）」によってＴＡ表示部３６の表示領域に表示される対象者表示領域６１１の領域部分が変更（例えばスクロール等）され、ＴＡ表示部３６の表示領域に表示されていない対象者表示領域６１１の他の領域部分が表示できるようになっている。
【０１１８】
このような対象者選択画面６１がＴＡ表示部３６に表示されている場合に、携帯端末装置ＴＡのユーザ（監視者）は、１人の対象者を選択するために、いずれか１つの対象者表示領域６１１を入力操作し、「確定」ボタン６１２を入力操作する。例えば、監視者は、「１０１号室Ｋ田Ｍ雄様」を表示する対象者表示領域（対象者選択ボタン）６１１−１を入力操作し、「確定」ボタン６１２を入力操作する。
【０１１９】
前記タッチパネルを構成するＴＡ入力部３５から、対象者表示領域６１１の入力操作を受け付けた後に、「確定」ボタン６１２の入力操作を受け付けると、携帯端末装置ＴＡは、ＴＡ制御処理部３２によって、対象者表示領域６１１から入力された１人の対象者（被監視者Ｏｂ）を管理サーバ装置ＳＶへ通知するための通信信号（選択対象者通知通信信号）を管理サーバ装置ＳＶへ送信する（Ｃ１３）。この選択対象者通知通信信号には、対象者表示領域６１１−１〜６１１−５の入力操作によって入力された１人の対象者の被監視者名および自機の端末ＩＤが収容される。例えば、携帯端末装置ＴＡの端末ＩＤがＴＡ−１である場合において、上述の例では、選択対象者通知通信信号には、「Ｋ田Ｍ雄」および「ＴＡ−１」が収容される。
【０１２０】
携帯端末装置ＴＡから選択対象者通知通信信号を受信すると、管理サーバ装置ＳＶは、ＳＶ制御処理部２２によって、前記選択対象者通知通信信号に収容された被監視者名を、前記選択対象者通知通信信号の送信元である携帯端末装置ＴＡの端末ＩＤと対応付けてＳＶ記憶部２３に記憶する。例えば、上述の例では、「ＴＡ−１」と「Ｋ田Ｍ雄」とが互いに対応付けられてＳＶ記憶部２３に記憶される。そして、管理サーバ装置ＳＶは、ＳＶ制御処理部２２によって、選択可能なサブメニューを表示し、サブメニューを選択するための画面（サブメニュー画面）のデータ（電子ファイル）を収容した通信信号（サブメニュー通知通信信号）を前記携帯端末装置ＴＡへ返信する（Ｃ１４）。
【０１２１】
前記サブメニュー画面６２は、例えば図１８に示すように、メニューバー領域５１１と、対象者選択画面６１で選択された対象者名を表示する対象者名表示領域６２１と、選択可能な１または複数のサブメニューをその名称で一覧で表示するサブメニュー表示領域６２２（６２２−１〜６２２−５）とを備える。図１８に示す例では、図１７に示す対象者選択画面６１で「１０１号室Ｋ田Ｍ雄」を表示する領域（対象者表示領域、対象者選択ボタン）６１１−１が携帯端末装置ＴＡで監視者によって入力操作され、対象者名表示領域６２１には、「１０１号室Ｋ田Ｍ雄様」が表示されている。サブメニュー表示領域６２２は、図１８に示す例では、サブメニューとして、「ケア実施入力」ボタン６２２−１と、「話す」ボタン６２２−２と、「一時オフする」ボタン６２２−３と、「ログイン」ボタン６２２−４と、「ログアウト」ボタン６２２−５とを備える。「ケア実施入力」ボタン６１３は、端末装置ＳＰ、ＴＡから監視者によって１人の対象者（被監視者Ｏｂ）に対する看介護記録を管理サーバ装置ＳＶに記録する指示を、当該携帯端末装置ＴＡに入力するためのボタンである。「話す」ボタン６２２−２は、上述の「話す」ボタン５２５と同様に、音声通話を要求するためのボタンであって、対象者名表示領域６２１に表示されている被監視者Ｏｂを監視するセンサ装置ＳＵと当該携帯端末装置ＴＡとをネットワークＮＷを介して通話可能に接続する指示を入力するためのボタンである。「一時オフする」ボタン６２２−３は、対象者名表示領域６２１に表示されている被監視者Ｏｂに対するセンサ装置ＳＵによる監視を一時的に止める指示を入力するためのボタンである。「ログイン」ボタン６２２−４は、当該携帯端末装置ＴＡを取り扱う監視者（ユーザ）が当該携帯端末装置ＴＡで当該被監視者監視システムＭＳへログインするために、前記ログイン通信信号を管理サーバ装置ＳＶへ送信する指示を、当該携帯端末装置ＴＡに入力するためのボタンである。「ログアウト」ボタン６２２−５は、当該携帯端末装置ＴＡを取り扱う監視者（ユーザ）が当該携帯端末装置ＴＡで当該被監視者監視システムＭＳからログアウトするために、ログアウトを要求するための通信信号（ログアウト通信信号）を管理サーバ装置ＳＶへ送信する指示を、当該携帯端末装置ＴＡに入力するためのボタンである。
【０１２２】
なお、前記対象者名表示領域６２１は、サブメニュー画面６２が携帯端末装置ＴＡのＴＡ表示部３６に表示された場合に、対象者選択画面６１を表示する指示を、当該携帯端末装置ＴＡに入力するためのボタンでもあっても良い。したがって、この場合では、監視者は、対象者名表示領域６２１を入力操作することで、対象者選択画面６１から対象者を変更できる。なお、このサブメニュー画面６２は、待受け画面５１、監視情報画面５２およびナースコール受付画面５３等におけるメニューバー領域５１１のサブメニューボタン５１１２の入力操作によっても表示される。メニューバー領域５１１は、携帯端末装置ＴＡの起動後（稼働後、電源投入後）のいずれの画面にも表示される。
【０１２３】
管理サーバ装置ＳＶからサブメニュー通知通信信号を受信すると、携帯端末装置ＴＡは、ＴＡ制御処理部３２によって、サブメニュー画面６２をＴＡ表示部３６に表示する。
【０１２４】
このようなサブメニュー画面６２がＴＡ表示部３６に表示されている場合に、携帯端末装置ＴＡのユーザ（監視者）は、対象者に対する看介護記録を実施するために、「ケア実施入力」ボタン６２２−１を入力操作する。
【０１２５】
「ケア実施入力」ボタン６２２−１の入力操作を受け付けると、携帯端末装置ＴＡは、ＴＡ看介護記録処理部３２５によって、看介護の種類（看介護記録の種類、記録書式の種類）の選択を要求するための通信信号（種類選択要求通信信号）を管理サーバ装置ＳＶへ送信する（Ｃ１５）。前記種類選択要求通信信号には、看介護の種類（看介護記録の種類、記録書式の種類）の選択を要求する命令（指示、コマンド、種類選択要求命令）および自機の端末ＩＤが収容される。
【０１２６】
携帯端末装置ＴＡから種類選択要求通信信号を受信すると、管理サーバ装置ＳＶは、ＳＶ看介護記録処理部２２３によって、看介護の種類に応じて予め用意され選択可能な記録書式の種類を表示し、記録書式の種類を選択するための画面（書式選択画面）のデータ（電子ファイル）を作成し、この作成した書式選択画面の電子ファイルを収容した通信信号（選択可能種類通知通信信号）を前記携帯端末装置ＴＡへ返信する（Ｃ１６）。
【０１２７】
前記書式選択画面６３は、例えば、図１９に示すように、メニューバー領域５１１と、対象者名表示領域６２１と、選択可能な１または複数の記録書式をその名称で一覧で表示する書式表示領域６３１（６３１−１〜６３１−４）とを備える。そして、この記録書式名を表示する個々の領域６３１−１〜６３１−４は、監視者によって選択された記録書式を、当該携帯端末装置ＴＡに入力するためのボタン（書式選択ボタン）でもある。図１９に示す例では、書式表示領域６３１は、食事ケア用の記録書式名として「食事ケア」を表示する「食事ケア」領域６３１−１と、水分補給ケア用の記録書式名として「水分ケア」を表示する「水分ケア」領域６３１−２と、排泄ケア用の記録書式名として「排泄ケア」を表示する「排泄ケア」領域６３１−３と、バイタルチェック用の記録書式名として「バイタル」を表示する「バイタル」領域６３１−４とを備える。そして、前記「食事ケア」領域６３１−１は、食事ケア用の記録書式の選択を、当該携帯端末装置ＴＡに入力するためのボタンであり、前記「水分ケア」領域６３１−２は、水分補給ケア用の記録書式の選択を、当該携帯端末装置ＴＡに入力するためのボタンであり、前記「排泄ケア」領域６３１−３は、排泄ケア用の記録書式の選択を、当該携帯端末装置ＴＡに入力するためのボタンであり、前記「バイタル」領域６３１−４は、バイタルチェック用の記録書式の選択を、当該携帯端末装置ＴＡに入力するためのボタンである。さらに、図１９に示す例では、前記記録書式名を表示する個々の領域６３１−１〜６３１−４には、看介護記録の内容も表示されている。例えば、本日および前回における看介護記録の各内容が表示される。この看介護記録の各内容を前記領域６３２に表示するために、ＴＡ看介護記録処理部３２５は、自機の端末ＩＤ、処理Ｃ１３で選択され入力された対象者名（被監視者名）、ならびに、本日および前回における看介護記録の各内容を要求する命令を収容する通信信号（看介護記録要求通信信号）を管理サーバ装置ＳＶへ送信する。この看介護記録要求通信信号を受信すると、管理サーバ装置ＳＶは、この受信した看介護記録要求通信信号に収容された対象者名（被監視者名）に対応する本日および前回における看介護記録の各内容を看介護記録情報記憶部２３８から取り出し、この取り出した本日および前回における看介護記録の各内容、ならびに、前記受信した看介護記録要求通信信号に収容された端末ＩＤおよび対象者名（被監視者名）を収容する通信信号（看介護記録返信通信信号）を、前記受信した看介護記録要求通信信号の送信元の携帯端末装置ＴＡへ返信する。ＴＡ看介護記録処理部３２５は、管理サーバ装置ＳＶからこの看介護記録返信通信信号を受信してその収容されたデータを取り出すことで、前記看介護記録の各内容を前記領域６３１に表示する。
【０１２８】
図１４に戻って、管理サーバ装置ＳＶから選択可能種類通知通信信号を受信すると、携帯端末装置ＴＡは、ＴＡ看介護記録処理部３２５によって、書式選択画面６３をＴＡ表示部３６に表示する。なお、ＴＡ表示部３６の表示領域より、書式表示領域６３１が広く、全ての書式表示領域６３１がＴＡ表示部３６の表示領域に表示できない場合には、例えば「フリック（ｆｌｉｃｋ  ｉｎｐｕｔ）」によってＴＡ表示部３６の表示領域に表示される書式表示領域６３１の領域部分が変更（例えばスクロール等）され、ＴＡ表示部３６の表示領域に表示されていない書式表示領域６３１の他の領域部分が表示できるようになっている。
【０１２９】
前記タッチパネルを構成するＴＡ入力部３５から、記録書式名を表示する領域（種類選択ボタン）６３１（６３１−１〜６３１−４）の入力操作を受け付けて記録書式名の選択を受け付けると、携帯端末装置ＴＡは、ＴＡ看介護記録処理部３２５によって、１人の被監視者に対して入力する看介護記録における記録書類名を通知するための通信信号（選択種類通知通信信号）を管理サーバ装置ＳＶへ送信する（Ｃ１７）。前記選択種類通知通信信号には、前記選択された記録書式名および自機の端末ＩＤが収容される。
【０１３０】
携帯端末装置ＴＡから選択種類通知通信信号を受信すると、管理サーバ装置ＳＶは、ＳＶ看介護記録処理部２２３によって、この受信した選択種類通知通信信号に収容された記録書式名に対応する記録書式の電子ファイルを書式情報記憶部２３７から取り出し、この取り出した記録書式の電子ファイルを収容した、記録書式を通知するための通信信号（書式通知信通信信号）を、前記携帯端末装置ＴＡへ返信する（Ｃ１８）。
【０１３１】
一方、管理サーバ装置ＳＶから書式通知通信信号を受信すると、携帯端末装置ＴＡは、ＴＡ看介護記録処理部３２５によって、記録書式画面６４をＴＡ表示部３６に表示する。
【０１３２】
例えば、処理Ｃ１７で「食事ケア」を表示する領域（種類選択ボタン）６３１−１が入力操作されると、携帯端末装置ＴＡは、ＴＡ看介護記録処理部３２５によって、記録書式名として「食事ケア」を収容した選択種類通知通信信号を管理サーバ装置ＳＶへ送信し、その返信として、食事ケア用の記録書式の電子ファイルを収容した書式通知信通信信号を受信し、例えば、図２０に示す食事ケア用記録書式画面６４ａをＴＡ表示部３６に表示する。
【０１３３】
この食事ケア用記録書式画面６４ａは、食事ケア用の記録書式を表示する画面であって、実施した食事ケアの内容を看介護記録として入力するための画面である。前記食事ケア用記録書式画面６４ａは、例えば、図２０に示すように、メニューバー領域５１１と、対象者名を表示する対象者名表示領域６２１と、看介護の内容として入力すべき入力項目を表示して前記入力項目に応じた看介護の内容を看介護記録として入力する看介護記録入力領域６４１ａと、この看介護記録を他の端末装置ＳＰ、ＴＡから参照可能とするか否かの設定を入力する共有化チェックボックス（□）６４２と、「送信する」ボタン６４３とを備える。
【０１３４】
食事ケア用の記録書式では、例えば、本実施形態では、前記入力項目として主食の摂取量（主食量）、副食の摂取量（副食量）、メモおよびケア実施時間であり、これらを入力するために、看介護記録入力領域６４１ａは、主食量を入力するための主食量入力領域６４１ａ−１と、副食量を入力するための副食量入力領域６４１ａ−２と、メモを入力するための自由記述入力領域６４１ａ−３と、看介護を実施した時刻を入力するためのケア実施時間入力領域６４１ａ−４とを備える。看介護記録入力領域６４１ａ（６４１ａ−１〜６４１ａ−４）には、前記タッチパネルを構成するＴＡ入力部３５の入力操作によって、看介護の内容（図２０に示す例では食事ケアの内容）が入力される。共有化チェックボックス６４２では、前記タッチパネルを構成するＴＡ入力部３５から、チェックの入力操作を受け付けると、共有化チェックボックス６４２内に「レ」が表示され、記録書式画面６４（図２０に示す例では当該食事ケア用記録書式画面６４ａ）に入力された内容を他の端末装置ＳＰ、ＴＡから参照できるように設定する指示が入力される。一方、前記チェックの入力操作を受け付けないと、共有化チェックボックス６４２内は、空欄で表示され、記録書式画面６４（図２０に示す例では当該食事ケア用記録書式画面６４ａ）に入力された内容を他の端末装置ＳＰ、ＴＡから参照できないように設定する指示が入力される。「送信する」ボタン６４３は、記録書式画面６４（図２０に示す例では当該食事ケア用記録書式画面６４ａ）に入力された内容（図２０に示す例では食事ケアの内容）を管理サーバ装置ＳＶへ送信する指示を入力するためのボタンである。
【０１３５】
また例えば、処理Ｃ１７で「モーニングケア」を表示する領域（種類選択ボタン）６３１−２が入力操作されると、携帯端末装置ＴＡは、ＴＡ看介護記録処理部３２５によって、記録書式名として「モーニングケア」を収容した選択種類通知通信信号を管理サーバ装置ＳＶへ送信し、その返信として、モーニングケア用の記録書式の電子ファイルを収容した書式通知信通信信号を受信し、例えば、図２１に示すモーニングケア用記録書式画面６４ｂをＴＡ表示部３６に表示する。
【０１３６】
このモーニングケア用記録書式画面６４ｂは、モーニングケア用の記録書式を表示する画面であって、実施したモーニングケアの内容を看介護記録として入力するための画面である。前記モーニングケア用記録書式画面６４ｂは、例えば、図２１に示すように、メニューバー領域５１１と、対象者名表示領域６２１と、看介護の内容として入力すべき入力項目を表示して前記入力項目に応じた看介護の内容を看介護記録として入力する看介護記録入力領域６４１ｂと、共有化チェックボックス（□）６４２と、「送信する」ボタン６４３とを備える。
【０１３７】
モーニングケア用の記録書式では、例えば、本実施形態では、前記入力項目として更衣、整容、整髪、口腔ケア、洗面、離床、清拭およびその他の各項目、メモならびにケア実施時間であり、これらを入力するために、看介護記録入力領域６４１ｂは、更衣の有無を入力するための更衣入力チェックボックス（□）、整容の有無を入力するための整容入力チェックボックス（□）、整髪の有無を入力するための整髪入力チェックボックス（□）、口腔ケアの有無を入力するための口腔ケア入力チェックボックス（□）、洗面の有無を入力するための洗面入力チェックボックス（□）、離床の有無を入力するための離床入力チェックボックス（□）、清拭の有無を入力するための清拭入力チェックボックス（□）およびその他の有無を入力するためのその他入力チェックボックス（□）を備える項目領域６４１ｂ−１と、メモを入力するための自由記述入力領域６４１ｂ−２と、看介護を実施した時刻を入力するためのケア実施時間入力領域６４１ｂ−３とを備える。前記タッチパネルを構成するＴＡ入力部３５から、チェックの入力操作を受け付けると、チェックボックス内に「レ」が表示され、チェックボックスに対応する入力項目の看介護の実施が入力される。
【０１３８】
また例えば、処理Ｃ１７で「排泄ケア」を表示する領域（種類選択ボタン）６３１−３が入力操作されると、携帯端末装置ＴＡは、ＴＡ看介護記録処理部３２５によって、記録書式名として「排泄ケア」を収容した選択種類通知通信信号を管理サーバ装置ＳＶへ送信し、その返信として、排泄ケア用の記録書式の電子ファイルを収容した書式通知信通信信号を受信し、例えば、図２２に示す排泄ケア用記録書式画面６４ｃをＴＡ表示部３６に表示する。
【０１３９】
この排泄ケア用記録書式画面６４ｃは、排泄用の記録書式を表示する画面であって、実施した排泄ケアの内容を看介護記録として入力するための画面である。前記排泄ケア用記録書式画面６４ｃは、例えば、図２２に示すように、メニューバー領域５１１と、対象者名表示領域６２１と、看介護の内容として入力すべき入力項目を表示して前記入力項目に応じた看介護の内容を看介護記録として入力する看介護記録入力領域６４１ｃと、共有化チェックボックス（□）６４２と、「送信する」ボタン６４３とを備える。
【０１４０】
排泄ケア用の記録書式では、例えば、本実施形態では、前記入力項目として排尿、便量、便質、メモならびにケア実施時間であり、これらを入力するために、看介護記録入力領域６４１ｃは、排尿の有無を入力するための排尿入力領域６４１ｃ−１と、排便量を入力するための排便量入力領域６４１ｃ−２と、便質を入力するための便質入力領域６４１ｃ−３と、メモを入力するための自由記述入力領域６４１ｃ−４と、看介護を実施した時刻を入力するためのケア実施時間入力領域６４１ｃ−５とを備える。看介護記録入力領域６４１ｃ（６４１ｃ−１〜６４１ｃ−５）には、前記タッチパネルを構成するＴＡ入力部３５の入力操作によって、看介護の内容（図２２に示す例では排泄ケアの内容）が入力される。
【０１４１】
また例えば、処理Ｃ１７で図略の「その他ケア」を表示する領域（種類選択ボタン）が入力操作されると、携帯端末装置ＴＡは、ＴＡ看介護記録処理部３２５によって、記録書式名として「その他ケア」を収容した選択種類通知通信信号を管理サーバ装置ＳＶへ送信し、その返信として、その他ケア用の記録書式の電子ファイルを収容した書式通知信通信信号を受信し、例えば、図２３に示すその他ケア用記録書式画面６４ｄをＴＡ表示部３６に表示する。
【０１４２】
このその他ケア用記録書式画面６４ｄは、書式表示領域６３１に表示された看介護名に無い他のケア用（その他用）の記録書式を表示する画面であって、実施したケアの内容を看介護記録として入力するための画面である。前記その他用記録書式画面６４ｄは、例えば、図２３に示すように、メニューバー領域５１１と、対象者名表示領域６２１と、看介護の内容として入力すべき入力項目を表示して前記入力項目に応じた看介護の内容を看介護記録として入力する看介護記録入力領域６４１ｄと、「送信する」ボタン６４３とを備える。
【０１４３】
その他用の記録書式では、例えば、本実施形態では、前記入力項目として、ケア内容、詳細、メモ、ケア実施時間および伝言であり、これらを入力するために、看介護記録入力領域６４１ｄは、ケアの内容を入力するためのケア内容入力領域６４１ｄ−１と、ケアのより詳細な内容を入力するための詳細入力領域６４１ｄ−２と、メモを入力するための自由記述入力領域６４１ｄ−３と、看介護を実施した時刻を入力するためのケア実施時間入力領域６４１ｄ−４と、電子伝言板に伝言や特記事項を入力するための伝言板入力領域６４１ｄ−５とを備える。看介護記録入力領域６４１ｄ（６４１ｄ−１〜６４１ｄ−５）には、前記タッチパネルを構成するＴＡ入力部３５の入力操作によって、看介護の内容（図２３に示す例ではその他ケアの内容）が入力される。
【０１４４】
また例えば、処理Ｃ１７で図略の「事故未然状況」を表示する領域（種類選択ボタン）が入力操作されると、携帯端末装置ＴＡは、ＴＡ看介護記録処理部３２５によって、記録書式名として「事故未然状況」を収容した選択種類通知通信信号を管理サーバ装置ＳＶへ送信し、その返信として、その事故未然状況用の記録書式の電子ファイルを収容した書式通知信通信信号を受信し、例えば、図２４に示す事故未然状況用記録書式画面６４ｅをＴＡ表示部３６に表示する。
【０１４５】
この事故未然状況用記録書式画面６４ｅは、監視者の主観によって事故に至る前の状況（例えばハインリッヒの法則におけるヒヤリハット（”ｎｅａｒ  ｍｉｓｓｅｓ”、”ｎｏ  ｉｎｊｕｒｙ”）の状況等）と判断された状況の内容を入力（記録）するための記録書式を表示する画面である。前記事故未然状況用記録書式画面６４ｅは、例えば、図２４に示すように、メニューバー領域５１１と、対象者名表示領域６２１と、事故未然状況の内容として入力すべき入力項目を表示して前記入力項目に応じた内容を看介護記録として入力する看介護記録入力領域６４１ｅと、「送信する」ボタン６４３とを備える。
【０１４６】
事故未然状況用記録書式では、例えば、本実施形態では、前記入力項目として、事故未然状況内容、発生時間および伝言であり、これらを入力するために、看介護記録入力領域６４１ｅは、事故未然状況の内容を入力するための事故未然状況内容入力領域６４１ｅ−１と、その発生時刻を入力するための発生時刻入力領域６４１ｅ−２と、電子伝言板に伝言や特記事項を入力するための伝言板入力領域６４１ｅ−３とを備える。看介護記録入力領域６４１ｅ（６４１ｅ−１〜６４１ｅ−３）には、前記タッチパネルを構成するＴＡ入力部３５の入力操作によって、看介護の内容（図２４に示す例では事故未然状況の内容）が入力される。
【０１４７】
なお、図示を省略するが、水分ケア用記録書式画面、バイタルケア用記録書式画面およびイブニングケア用記録書式画面等が、予め用意され、書式情報記憶部２３７に記憶される。
【０１４８】
図１４に戻って、次に、携帯端末装置ＴＡは、ＴＡ看介護記録処理部３２５によって、ＴＡ表示部３６に表示された記録書式を用いて入力された看介護の内容を看介護記録として管理サーバ装置ＳＶへ送信するための通信信号（看介護記録通知通信信号）を管理サーバ装置ＳＶへ送信し（Ｃ１９）、本処理を終了する。
【０１４９】
より具体的には、監視者（ユーザ）は、まず、ＴＡ表示部３６に表示された記録書式を参照し、この記録書式の入力項目に応じた看介護の内容を入力する。この入力された看介護の内容は、ＴＡ看介護記録処理部３２５によって、看介護記録として、対象者名表示領域６２１に表示されている被監視者名と対応付けてＴＡ記憶部３３に一時的に記憶される。例えば、食事ケアの看介護記録では、監視者（ユーザ）は、ＴＡ表示部３６に表示された食事ケア用記録書式画面６４ａを参照し、この食事ケア用記録書式画面６４ａの看介護記録入力領域６４１ａにおける各領域６４１ａ−１〜６４１ａ−４に、食事ケアの内容を入力し、必要に応じて、共有化チェックボックス（□）６４２を入力操作する。そして、監視者（ユーザ）は、「送信する」ボタン６４３を入力操作する。
【０１５０】
そして、「送信する」ボタン６４３の入力操作を受け付けると、携帯端末装置ＴＡは、ＴＡ看介護記録処理部３２５によって、自機の端末ＩＤ、対象者名（被監視者名）、ならびに、記録書式画面６４を用いて入力されＴＡ記憶部３３に記憶された看介護記録のデータ（上述の例では食事ケア用記録書式画面６４ａを用いて入力された主食の摂取量、副食の摂取量、メモ、ケア実施時間および共有化の許否）を収容する看介護記録通知通信信号を管理サーバ装置ＳＶへ送信する。送信すると、ＴＡ看介護記録処理部３２５は、ＴＡ記憶部３３に記憶された前記看介護記録のデータを消去（削除）する。その後、ＴＡ看介護記録処理部３２５は、前記処理Ｃ１１で受け付けた対象者選択ボタン５１１１を表示していた画面（待受け画面５１、監視情報画面５２およびナースコール受付画面５３等）をＴＡ表示部３６に表示して本処理を終了する。
【０１５１】
一方、管理サーバ装置ＳＶは、この看介護記録通知通信信号を受信すると、ＳＶ看介護記録処理部２２３によって、この受信した看介護記録通知通信信号に収容された、対象者名（被監視者名）と看介護記録の内容（上述の例では主食の摂取量、副食の摂取量、メモ、ケア実施時間および共有化の許否）とを互いに対応付けて看介護記録情報記憶部２３８に記憶する。
【０１５２】
第１モードでの看介護記録に関し、携帯端末装置ＴＡおよび管理サーバ装置ＳＶは、以上のように動作している。
【０１５３】
（第２モードでの看介護記録の処理）
第２モードでの看介護記録の処理では、図１５において、前記タッチパネルを構成するＴＡ入力部３５から、図１１に示す監視情報画面５２の「対応する」ボタン５２４、または、図１２に示すナースコール受付画面５３の「対応する」ボタン５２４、の入力操作を受け付けると、上述したように、携帯端末装置ＴＡは、ＴＡ制御処理部３２によって、自機の端末ＩＤ、ＴＡ表示部３６に表示している被監視者Ｏｂの監視情報に対応するセンサＩＤ、イベント情報および前記対応有意思情報を収容した対応有意思通知通信信号（記録入力要求通信信号の一例）を管理サーバ装置ＳＶへ送信する（Ｃ２１）。
【０１５４】
携帯端末装置ＴＡから対応有意思通知通信信号を受信すると、管理サーバ装置ＳＶは、上述したように、ＳＶ監視処理部２２２によって、対応フラグを更新し、対応有意思周知通信信号を送信する。そして、管理サーバ装置ＳＶは、ＳＶ看介護記録処理部２２３によって、対応有意思通知による看介護記録の処理を実行する（Ｃ２２）。
【０１５５】
この処理Ｃ２２をより具体的に説明すると、図１６において、ＳＶ看介護記録処理部２２３は、前記受信した対応有意思通知通信信号に収容されたイベント情報を参照することによって、前記受信した対応有意思通知通信信号に対し、選択可能種類通知通信信号（種類通知通信信号の一例）を返信するか否かを判定する（Ｓ２２１）。より具体的には、ＳＶ看介護記録処理部２２３は、返信許否情報記憶部２３６に記憶された返信許否情報テーブルＷＴから、そのイベントフィールド２３６１に、前記受信した対応有意思通知通信信号に収容されたイベント情報を登録するレコードを選定（検索）し、この選定したレコードの返信許否フィールド２３６２に登録された返信許否フラグを取得する。この取得した返信許否フラグが「１」である場合には、ＳＶ看介護記録処理部２２３は、前記判定の結果として、返信の許可と判定し（Ｙｅｓ）、次に、処理Ｓ２２２を実行する。一方、前記取得した返信許否フラグが「０」である場合には、ＳＶ看介護記録処理部２２３は、前記判定の結果として、返信の非許可と判定し（Ｎｏ）、本処理を終了する。
【０１５６】
この処理Ｓ２２２では、ＳＶ看介護記録処理部２２３は、選択可能な複数の記録書式それぞれの記録書式名を所定の優先順位に従ってソートする。前記所定の優先順位は、センサ装置ＳＵで検知されて前記センサ装置ＳＵから受信したイベントの種類に基づいて設定される。あるいは、前記所定の優先順位は、センサ装置ＳＵで検知されて前記センサ装置ＳＵから受信したイベントの種類と、時間帯、端末装置ＳＰ、ＴＡの所在位置、および、端末装置ＳＰ、ＴＡを取り扱う監視者の属性、のうちの少なくともいずれかとに基づいて設定される。
【０１５７】
例えば、前記受信した対応有意思通知通信信号に収容されてイベント情報が転倒である場合には、ＳＶ看介護記録処理部２２３は、選択可能な複数の記録書式それぞれの記録書式名を、「事故未然状況」、「その他ケア」、および、これら「事故未然状況」と「その他ケア」とを除く残余の記録書式名の順にソートする。
【０１５８】
また例えば、前記受信した対応有意思通知通信信号に収容されてイベント情報がナースコールである場合には、ＳＶ看介護記録処理部２２３は、選択可能な複数の記録書式それぞれの記録書式名を、「その他ケア」、および、この「その他ケア」とを除く残余の記録書式名の順にソートする。
【０１５９】
また例えば、前記受信した対応有意思通知通信信号に収容されてイベント情報が体動異常であり、かつ、その受信時刻が午後２１時から翌午前５時までの時間帯内である場合には、ＳＶ看介護記録処理部２２３は、選択可能な複数の記録書式それぞれの記録書式名を、「事故未然状況」、「その他ケア」、および、これら「事故未然状況」と「その他ケア」とを除く残余の記録書式名の順にソートする。
【０１６０】
また例えば、前記受信した対応有意思通知通信信号に収容されてイベント情報がナースコールであり、かつ、その送信元の端末装置ＳＰ、ＴＡの所在位置がトイレである場合には、ＳＶ看介護記録処理部２２３は、選択可能な複数の記録書式それぞれの記録書式名を、「排泄ケア」、「その他ケア」、および、これら「排泄ケア」と「その他ケア」とを除く残余の記録書式名の順にソートする。
【０１６１】
また例えば、前記受信した対応有意思通知通信信号に収容されてイベント情報が起床または離床であり、かつ、その受信時刻が午前５時から午前８時までの時間帯内であり、かつ、その送信元の端末装置ＳＰ、ＴＡを取り扱う監視者の属性が介護士である場合には、ＳＶ看介護記録処理部２２３は、選択可能な複数の記録書式それぞれの記録書式名を、「モーニングケア」、「その他ケア」、および、これら「モーニングケア」と「その他ケア」とを除く残余の記録書式名の順にソートする。
【０１６２】
また例えば、前記受信した対応有意思通知通信信号に収容されてイベント情報が起床または離床であり、かつ、その受信時刻が午前５時から午前８時までの時間帯内であり、かつ、その送信元の端末装置ＳＰ、ＴＡを取り扱う監視者の属性が看護師である場合には、ＳＶ看介護記録処理部２２３は、選択可能な複数の記録書式それぞれの記録書式名を、「バイタル」、「その他ケア」、および、これら「バイタル」と「その他ケア」とを除く残余の記録書式名の順にソートする。
【０１６３】
これら上述において、前記受信した対応有意思通知通信信号の受信時刻は、例えば、この対応有意思通知通信信号を受信した際に時計部２２４から取得される。前記受信した対応有意思通知通信信号の送信元における端末装置ＳＰ、ＴＡの所在位置は、例えば、前記送信元の端末装置ＳＰ、ＴＡがアクセスしているアクセスポイントＡＰの位置に基づいて判定され、取得される。この場合では、各アクセスポイントＡＰの位置がＳＶ記憶部２３に予め記憶される。前記受信した対応有意思通知通信信号の送信元における端末装置ＳＰ、ＴＡを取り扱う監視者の属性は、前記受信した対応有意思通知通信信号に収容された端末ＩＤを検索キーとして端末情報記憶部２３５に記憶された端末ユーザ属性情報テーブルＴＴから取得される。前記残余の記録書式名は、例えば五十音順（アルファベット順）や所定のデフォルト順等で適宜にソートされる。
【０１６４】
次に、ＳＶ看介護記録処理部２２３は、前記受信した対応有意思通知通信信号を送信した携帯端末装置ＴＡへ通知されたイベント、を検知したセンサ装置ＳＵに対応する被監視者Ｏｂについて、書式選択画面６３の電子ファイルを生成する（Ｓ２２３）。より具体的には、ＳＶ看介護記録処理部２２３は、ＳＶセンサ情報記憶部２３３に記憶されたＳＶセンサ情報テーブルＳＴ−ＳＶから、そのセンサＩＤフィールド２３３１に、前記受信した対応有意思通知通信信号に収容されたセンサＩＤを登録するレコードを選定（検索）し、この選定したレコードの配設場所フィールド２３３２および被監視者名フィールド２３３３それぞれに登録された配設場所および被監視者名それぞれを取得し、ＳＶ記憶部２３に記憶する。そして、ＳＶ看介護記録処理部２２３は、メニューバー領域５１１と、前記取得した配設場所および被監視者名を表示する対象者名表示領域６２１と、前記処理Ｓ２２２でソートした順に並ぶ複数の記録書式名を表示する書式表示領域６３１とを備える書式選択画面６３の電子ファイルを生成する。
【０１６５】
そして、ＳＶ看介護記録処理部２２３は、前記処理Ｓ２２３で生成した書式選択画面６３の電子ファイルを収容した選択可能種類通知通信信号を生成し、本処理を終了する。
【０１６６】
このように対応有意思通知による看介護記録の処理Ｃ２２が実行され、端末装置ＳＰ、ＴＡへ通知され表示されたイベントを検知したセンサ装置ＳＵに対応する被監視者Ｏｂについて、書式選択画面６３が生成されるので、端末装置ＳＰ、ＴＡを取り扱う監視者等のユーザは、看介護記録に必要な被監視者（対象者）Ｏｂの入力を別途に必要としない。
【０１６７】
図１５に戻って、次に、上述した第１モードの処理Ｃ１６と同様な、上述の処理Ｓ２２４で生成した選択可能種類通知通信信号を送信する処理Ｃ２３が実行され、次に、上述した第１モードの処理Ｃ１７と同様な、選択種類通知通信信号を送信する処理Ｃ２４が実行され、次に、上述した第１モードの処理Ｃ１８と同様な、書式通知通信信号を送信する処理Ｃ２５が実行され、そして、上述した第１モードの処理Ｃ１９と同様な、看介護記録通知通信信号を送信する処理Ｃ２６が実行される。
【０１６８】
第２モードでの看介護記録に関し、携帯端末装置ＴＡおよび管理サーバ装置ＳＶは、以上のように動作している。
【０１６９】
以上説明したように、本実施形態における被監視者監視システムＭＳ、前記中央処理装置の一例である管理サーバ装置ＳＶおよびこれに実装された中央処理方法は、第２イベント通知通信信号によってイベントの通知を受けた端末装置ＳＰ、ＴＡから、前記記録入力要求通信信号としての対応有意思通知通信信号を受信した場合に、前記端末装置ＳＰ、ＴＡへ通知された前記イベントを検知したセンサ装置ＳＵに対応する被監視者Ｏｂについての選択可能種類通知通信信号（前記種類通知通信信号の一例）を前記端末装置ＳＰ、ＴＡへ返信する。このため、端末装置ＳＰ、ＴＡを取り扱う監視者等のユーザは、看介護記録に必要な被監視者（対象者）Ｏｂの入力を別途に必要としない。したがって、上記被監視者監視システムＭＳ、管理サーバ装置ＳＶおよび中央処理方法では、看介護記録を付ける際に、その操作性が簡便化され、その手順も単純化される。よって、上記被監視者監視システムＭＳ、管理サーバ装置ＳＶおよび中央処理方法は、看介護記録を付ける際における手間をより低減できる。
【０１７０】
また、上記被監視者監視システムＭＳ、管理サーバ装置ＳＶおよび中央処理方法は、前記記録入力要求通信信号が対応有意思通知通信信号と兼用されるので、端末装置ＳＰ、ＴＡを取り扱う監視者等のユーザは、前記意思を前記端末装置ＳＰ、ＴＡに入力することで、看介護記録の入力の要求を前記端末装置ＳＰ、ＴＡに別途に入力する必要が無い。したがって、上記被監視者監視システムＭＳ、管理サーバ装置ＳＶおよび中央処理方法は、看介護記録を付ける際に、その操作性がより簡便化され、その手順もより単純化される。よって、上記被監視者監視システムＭＳ、管理サーバ装置ＳＶおよび中央処理方法は、看介護記録を付ける際における手間をさらにより低減できる。
【０１７１】
また、上記被監視者監視システムＭＳ、管理サーバ装置ＳＶおよび中央処理方法は、選択可能な看介護の複数の種類それぞれの種類名を所定の優先順位に従ってソートした一覧で表示する書式選択画面、より具体的には、選択可能な複数の記録書式それぞれの記録書式名を前記所定の優先順位に従ってソートした一覧で表示する書式選択画面６３を、端末装置ＳＰ、ＴＡに表示できるので、端末装置ＳＰ、ＴＡを取り扱う監視者等のユーザは、看介護記録を付けたい看介護の種類名、より具体的には記録書式名を前記一覧から見つけ易い。したがって、上記被監視者監視システムＭＳ、管理サーバ装置ＳＶおよび中央処理方法は、看介護記録を付けたい看介護の種類名、より具体的には記録書式名を前記一覧から見つける手間を低減できる。
【０１７２】
例えば起床や離床等のイベントの種類によっては、看介護記録が必要とされない場合もある。上記被監視者監視システムＭＳ、管理サーバ装置ＳＶおよび中央処理方法は、返信許否情報に基づいて種類通知通信信号、より具体的には選択可能種類通知通信信号の返信を処理するので、看介護記録が必要とされない場合に好適に対応でき、前記通信信号の無駄な返信処理が生じない。
【０１７３】
なお、上述の実施形態において、返信許否情報記憶部２３６が前記返信許否情報を被監視者Ｏｂに対応付けて記憶し、ＳＶ看介護記録処理部２２３が返信許否情報記憶部２３６に記憶され、端末装置ＳＰ、ＴＡへ通知された前記イベントを検知したセンサ装置ＳＵに対応する被監視者Ｏｂに対応付けられた返信許否情報に基づいて選択可能種類通知通信信号の返信を処理するように、管理サーバ装置ＳＶは、構成されても良い。例えば被監視者Ｏｂによっては無闇にナースコールする者や、自立性が高くあまり介護が必要ではない者である場合、監視者は、端末装置ＳＰ、ＴＡを介してイベントの通知を受けその確認を行うだけで、看介護記録を付けない場合も有り得る。上記構成の管理サーバ装置ＳＶは、前記返信許否情報を前記被監視者Ｏｂに対応付けて記憶し、前記端末装置ＳＰ、ＴＡへ通知された前記イベントを検知したセンサ装置ＳＵに対応する被監視者Ｏｂに対応付けられた返信許否情報に基づいて前記種類通知通信信号の返信を処理するので、このような被監視者Ｏｂに応じて看介護記録が必要とされない場合に好適に対応でき、前記種類通知通信信号の無駄な返信処理が生じない。
【０１７４】
図２５は、変形形態の被監視者監視システムにおける固定端末装置に表示される返信許否情報設定画面の一例を示す図である。この場合では、被監視者Ｏｂに対応付けられた返信許否情報は、例えば、図２５に示す返信許否情報設定画面５５ａを用いることによって、端末装置ＳＰ、ＴＡを介して管理サーバ装置ＳＶに設定される。
【０１７５】
返信許否情報設定画面５５ａは、図２５に示すように、返信許否入力領域５５１と、部屋名入力領域５５２と、氏名入力領域５５３と、「キャンセル」ボタン５５６と、「登録」ボタン５５７とを備える。すなわち、返信許否情報設定画面５５ａは、図１３に示す上述の返信許否情報設定画面５５に対し、さらに、部屋名入力領域５５２および氏名入力領域５５３を備えている。この返信許否情報設定画面５５ａにおける返信許否入力領域５５１、「キャンセル」ボタン５５６および「登録」ボタン５５７は、それぞれ、返信許否情報設定画面５５における返信許否入力領域５５１、「キャンセル」ボタン５５６および「登録」ボタン５５７と同様であるので、その説明を省略する。
【０１７６】
部屋名入力領域５５２は、返信許否情報を設定する対象の被監視者Ｏｂが入居する部屋の部屋名を入力するための領域である。氏名入力領域５５３は、返信許否情報を設定する対象の被監視者Ｏｂの被監視者名を入力するための領域である。
【０１７７】
「登録」ボタン５５７の入力操作を受け付けると、端末装置ＳＰ、ＴＡは、返信許否入力領域５５１に入力された返信許否フラグをイベントの種類に対応付けて返信許否情報として収容した返信許否情報通知通信信号を管理サーバ装置ＳＶへ送信する。ここで、本場合では、前記返信許否情報通知通信信号には、さらに、部屋名入力領域５５２に入力された部屋名、および、氏名入力領域５５３に入力された被監視者名も収容される。
【０１７８】
この返信許否情報通知通信信号を受信すると、管理サーバ装置ＳＶは、ＳＶ制御処理部２２によって、この受信した返信許否情報通知通信信号に収容された返信許否情報を、前記受信した返信許否情報通知通信信号に収容された被監視者名に対応付けてＳＶ記憶部２３の返信許否情報記憶部２３４に記憶する。これによって返信許否情報が管理サーバ装置ＳＶに設定される。なお、返信許否情報記憶部２３４には、図７に示す返信許否情報テーブルＷＴも、被監視者名に対応付けられた返信許否情報が設定されていない被監視者Ｏｂのために、記憶されている。
【０１７９】
そして、本場合では、図１６に示す返信許可を判定する処理Ｓ２２１の前に、ＳＶ看介護記録処理部２２３は、まず、前記受信した対応有意思通知通信信号に収容されたセンサＩＤに対応する被監視者名を、Ｖセンサ情報記憶部２３３に記憶されたＳＶセンサ情報テーブルＳＴ−ＳＶから取得し、この取得した被監視者名に対応付けられた返信許否情報が返信許否情報記憶部２３６に記憶されているか否かを判定する。この判定の結果、記憶されている場合には、ＳＶ看介護記録処理部２２３は、前記取得した被監視者名に対応付けられた返信許否情報を用いて、図１６に示す処理Ｓ２２１ないし処理Ｓ２２４の各処理を順次に実行し、一方、記憶されていない場合には、ＳＶ看介護記録処理部２２３は、被監視者名に対応付けられた返信許否情報が設定されていない被監視者Ｏｂのための、図７に示す返信許否情報テーブルＷＴに登録された返信許否情報を用いて、図１６に示す処理Ｓ２２１ないし処理Ｓ２２４の各処理を順次に実行する。
【０１８０】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【０１８１】
ＭＳ  被監視者監視システム
ＳＵ、ＳＵ−１〜ＳＵ−４  センサ装置
ＳＶ  管理サーバ装置
ＳＰ  固定端末装置
ＴＡ、ＴＡ−１、ＴＡ−２  携帯端末装置
ＷＴ  返信許否情報テーブル
２１  サーバ側通信インタフェース部（ＳＶ通信ＩＦ部）
２２  サーバ側制御処理部（ＳＶ制御処理部）
２３  サーバ側記憶部（ＳＶ記憶部）
２２１  サーバ側制御部（ＳＶ制御部）
２２２  サーバ側監視処理部（ＳＶ監視処理部）
２２３  サーバ側看介護記録処理部（ＳＶ看介護記録処理部）
２２４  時計部
２３１  サーバ側監視情報記憶部（ＳＶ監視情報記憶部）
２３２  装置間情報記憶部
２３３  サーバ側センサ情報記憶部（ＳＶセンサ情報記憶部）
２３４  資格情報記憶部
２３５  端末情報記憶部
２３６  返信許否情報記憶部
２３７  書式情報記憶部
２３８  看介護記録情報記憶部
【図１】
2018025969.tif 000003
【図２】
2018025969.tif 000004
【図３】
2018025969.tif 000005
【図４】
2018025969.tif 000006
【図５】
2018025969.tif 000007
【図６】
2018025969.tif 000008
【図７】
2018025969.tif 000009
【図８】
2018025969.tif 000010
【図９】
2018025969.tif 000011
【図１０】
2018025969.tif 000012
【図１１】
2018025969.tif 000013
【図１２】
2018025969.tif 000014
【図１３】
2018025969.tif 000015
【図１４】
2018025969.tif 000016
【図１５】
2018025969.tif 000017
【図１６】
2018025969.tif 000018
【図１７】
2018025969.tif 000019
【図１８】
2018025969.tif 000020
【図１９】
2018025969.tif 000021
【図２０】
2018025969.tif 000022
【図２１】
2018025969.tif 000023
【図２２】
2018025969.tif 000024
【図２３】
2018025969.tif 000025
【図２４】
2018025969.tif 000026
【図２５】
2018025969.tif 000027